(57)【要約】      （修正有）【課題】マシンタイプ通信（ＭＴＣ）に適用される間欠受信（ＤＲＸ）および半永続的スケジューリング（ＳＰＳ）に関する方法および装置を提供する。【解決手段】ＵＥは、ＤＲＸオン持続時間を決定し１００２、バンドルされたＭ−ＰＤＣＣＨ候補を搬送するサブフレームのセットを決定し１００４、ＤＲＸオン持続時間が、バンドルされたＭ−ＰＤＣＣＨのサブフレームのセットと部分的に重複すると決定した場合１００６、第１のバンドルされたＭ−ＰＤＣＣＨ候補を復号することを控える１００８か、第１のバンドルされたＭ−ＰＤＣＣＨ候補を復号する１０１０か、ＤＲＸオン持続時間を拡張する１０１２。【選択図】図１０
2020109993.tif 000002
【特許請求の範囲】
【請求項１】
ユーザ機器（ＵＥ）におけるワイヤレス通信の方法であって、
間欠受信（ＤＲＸ）オン持続時間を決定することと、
第１のバンドルされたＭＴＣ物理ダウンリンク制御チャネル（Ｍ−ＰＤＣＣＨ）候補を搬送するサブフレームのセットを決定することと、サブフレームの前記セットが複数のサブフレームを含む、
前記ＤＲＸオン持続時間がサブフレームの前記セットと少なくとも部分的に重複すると決定することと、
（ａ）前記第１のバンドルされたＭ−ＰＤＣＣＨ候補を復号することを控えること、  （ｂ）前記第１のバンドルされたＭ−ＰＤＣＣＨ候補を復号すること、または
（ｃ）サブフレームの前記セットを全体的に含めるために前記ＤＲＸオン持続時間を拡張すること、および前記拡張されたＤＲＸオン持続時間中のサブフレームの前記セット中で搬送される前記第１のバンドルされたＭ−ＰＤＣＣＨ候補を復号すること
のうちの１つを実行することと
を備える、方法。
【請求項２】
前記第１のバンドルされたＭ−ＰＤＤＣＨ候補の前記複数のサブフレームが前記ＤＲＸオン持続時間内にあるかどうかを決定すること
をさらに備える、請求項１に記載の方法。
【請求項３】
前記第１のバンドルされたＭ−ＰＤＣＣＨ候補の前記複数のサブフレームのすべてが前記ＤＲＸオン持続時間内にある場合、前記第１のバンドルされたＭ−ＰＤＤＣＨ候補を復号することと、
前記第１のバンドルされたＭ−ＰＤＤＣＨ候補の前記複数のサブフレームのうちの少なくとも１つのサブフレームが前記ＤＲＸオン持続時間の外部にある場合、前記第１のバンドルされたＭ−ＰＤＤＣＨ候補を復号することを控えることと
をさらに備える、請求項２に記載の方法。
【請求項４】
前記第１のバンドルされたＭ−ＰＤＣＣＨ候補の前記複数のサブフレームが前記ＤＲＸオン持続時間内にあるかどうかの前記決定が、前記ＤＲＸオン持続時間を拡張することなしに行われる、請求項２に記載の方法。
【請求項５】
前記第１のバンドルされたＭ−ＰＤＣＣＨ候補と第２のバンドルされたＭ−ＰＤＣＣＨとを含む、複数のバンドルされたＭ−ＰＤＣＣＨ候補を搬送するサブフレームのセットを決定することと、
前記ＤＲＸオン持続時間と前記第１のバンドルされたＭ−ＰＤＣＣＨ候補の前記サブフレームとの間の重複に少なくとも基づいて、前記第１のバンドルされたＭ−ＰＤＣＣＨ候補を監視することを決定することと
をさらに備える、請求項１に記載の方法。
【請求項６】
複数のバンドルされたＭ−ＰＤＣＣＨ候補のうちの１つを監視することを決定すること、前記１つのバンドルされたＭ−ＰＤＣＣＨ候補が前記ＤＲＸオン持続時間内に各サブフレームを有する、
をさらに備える、請求項１に記載の方法。
【請求項７】
前記第１のバンドルされたＭ−ＰＤＤＣＨ候補の前記サブフレームが、部分的に前記ＤＲＸオン持続時間の外部に入り、前記方法は、
前記第１のバンドルされたＭ−ＰＤＤＣＨ候補の前記サブフレームが前記ＤＲＸオン持続時間内に開始するとき、前記第１のバンドルされたＭ−ＰＤＤＣＨ候補を復号することをさらに備える、請求項１に記載の方法。
【請求項８】
前記第１のバンドルされたＭ−ＰＤＤＣＨ候補の前記サブフレームが、部分的に前記ＤＲＸオン持続時間の外部に入り、前記方法は、
前記第１のバンドルされたＭ−ＰＤＤＣＨ候補の前記サブフレームが前記ＤＲＸオン持続時間内に終了するとき、前記第１のバンドルされたＭ−ＰＤＤＣＨ候補を復号することをさらに備える、請求項１に記載の方法。
【請求項９】
前記第１のバンドルされたＭ−ＰＤＤＣＨ候補の前記サブフレームが、部分的に前記ＤＲＸオン持続時間の外部に入り、前記方法は、
前記第１のバンドルされたＭ−ＰＤＤＣＨ候補の前記サブフレームのうちのいずれかが前記ＤＲＸオン持続時間内にあるとき、前記第１のバンドルされたＭ−ＰＤＤＣＨ候補を復号すること
をさらに備える、請求項１に記載の方法。
【請求項１０】
第２のバンドルされたＭ−ＰＤＣＣＨ候補を搬送するサブフレームのセットを決定すること、ここにおいて、前記第１のバンドルされたＭ−ＰＤＣＣＨ候補の前記サブフレームが、部分的に前記ＤＲＸオン持続時間の外部にあり、前記第２のバンドルされたＭ−ＰＤＣＣＨ候補の前記サブフレームが、部分的に前記ＤＲＸオン持続時間の外部にある、
前記ＤＲＸオン持続時間と、前記第１のバンドルされたＭ−ＰＤＣＣＨ候補および前記第２のバンドルされたＭ−ＰＤＣＣＨ候補の前記サブフレームとの間の重複に基づいて、どのバンドルされたＭ−ＰＤＣＣＨ候補を監視すべきかを決定することと、
前記決定に基づいて、前記第１のバンドルされたＭ−ＰＤＣＣＨ候補および前記第２のバンドルされたＭ−ＰＤＣＣＨ候補のうちの１つを復号することと
請求項１に記載の方法。
【請求項１１】
前記ＵＥが、サブフレームの前記セットを全体的に含めるように前記ＤＲＸオン持続時間を拡張し、前記拡張されたＤＲＸオン持続時間中のサブフレームの前記セット中で搬送される前記第１のバンドルされたＭ−ＰＤＣＣＨ候補を復号すること、請求項１に記載の方法。
【請求項１２】
ユーザ機器（ＵＥ）におけるワイヤレス通信のための装置であって、
間欠受信（ＤＲＸ）オン持続時間を決定するための手段と、
第１のバンドルされたＭＴＣ物理ダウンリンク制御チャネル（Ｍ−ＰＤＣＣＨ）候補を搬送するサブフレームのセットを決定するための手段と、サブフレームの前記セットが複数のサブフレームを含む、
前記ＤＲＸオン持続時間がサブフレームの前記セットと少なくとも部分的に重複すると決定するための手段と、
（ａ）前記第１のバンドルされたＭ−ＰＤＣＣＨ候補を復号することを控えること、  （ｂ）前記第１のバンドルされたＭ−ＰＤＣＣＨ候補を復号すること、または
（ｃ）サブフレームの前記セットを全体的に含めるために前記ＤＲＸオン持続時間を拡張すること、および前記拡張されたＤＲＸオン持続時間中のサブフレームの前記セット中で搬送される前記第１のバンドルされたＭ−ＰＤＣＣＨ候補を復号すること
のうちの１つを実行するための手段と
を備える、装置。
【請求項１３】
前記ＤＲＸオン持続時間がサブフレームの前記セットと少なくとも部分的に重複すると決定するための前記手段は、前記第１のバンドルされたＭ−ＰＤＤＣＨ候補の前記複数のサブフレームが前記ＤＲＸオン持続時間内にあるかどうかを決定する、請求項１２に記載の装置。
【請求項１４】
前記第１のバンドルされたＭ−ＰＤＣＣＨ候補の前記複数のサブフレームのすべてが前記ＤＲＸオン持続時間内にある場合、前記第１のバンドルされたＭ−ＰＤＤＣＨ候補を復号するための手段をさらに備え、ここにおいて、実行するための前記手段は、前記第１のバンドルされたＭ−ＰＤＤＣＨ候補の前記複数のサブフレームのうちの少なくとも１つのサブフレームが前記ＤＲＸオン持続時間の外部にある場合、前記第１のバンドルされたＭ−ＰＤＤＣＨ候補を復号することを控える、
請求項１３に記載の装置。
【請求項１５】
前記第１のバンドルされたＭ−ＰＤＣＣＨ候補の前記複数のサブフレームが前記ＤＲＸオン持続時間内にあるかどうかの前記決定が、前記ＤＲＸオン持続時間を拡張することなしに行われる、請求項１３に記載の装置。
【請求項１６】
サブフレームのセットを決定するための前記手段が、前記第１のバンドルされたＭ−ＰＤＣＣＨ候補と第２のバンドルされたＭ−ＰＤＣＣＨとを含む、複数のバンドルされたＭ−ＰＤＣＣＨ候補を搬送するサブフレームのセットを決定し、前記装置が、
前記ＤＲＸオン持続時間と前記第１のバンドルされたＭ−ＰＤＣＣＨ候補の前記サブフレームとの間の重複に少なくとも基づいて、前記第１のバンドルされたＭ−ＰＤＣＣＨ候補を監視することを決定するための手段
をさらに備える、請求項１２に記載の装置。
【請求項１７】
複数のバンドルされたＭ−ＰＤＣＣＨ候補のうちの１つを監視することを決定するための手段、前記１つのバンドルされたＭ−ＰＤＣＣＨ候補が前記ＤＲＸオン持続時間内に各サブフレームを有する、
をさらに備える、請求項１２に記載の装置。
【請求項１８】
ユーザ機器（ＵＥ）におけるワイヤレス通信のための装置であって、
メモリと、
前記メモリに結合された少なくとも１つのプロセッサと
を備え、前記少なくとも１つのプロセッサは、
間欠受信（ＤＲＸ）オン持続時間を決定することと、
第１のバンドルされたＭＴＣ物理ダウンリンク制御チャネル（Ｍ−ＰＤＣＣＨ）候補を搬送するサブフレームのセットを決定することと、サブフレームの前記セットが複数のサブフレームを含む、
前記ＤＲＸオン持続時間がサブフレームの前記セットと少なくとも部分的に重複すると決定することと、
（ａ）前記第１のバンドルされたＭ−ＰＤＣＣＨ候補を復号することを控えること、    （ｂ）前記第１のバンドルされたＭ−ＰＤＣＣＨ候補を復号すること、または
（ｃ）サブフレームの前記セットを全体的に含めるために前記ＤＲＸオン持続時間を拡張すること、および前記拡張されたＤＲＸオン持続時間中のサブフレームの前記セット中で搬送される前記第１のバンドルされたＭ−ＰＤＣＣＨ候補を復号すること
のうちの１つを実行することと
を行うように構成された、
装置。
【請求項１９】
前記少なくとも１つのプロセッサが、
前記第１のバンドルされたＭ−ＰＤＤＣＨ候補の前記複数のサブフレームが前記ＤＲＸオン持続時間内にあるかどうかを決定すること
を行うようにさらに構成された、請求項１８に記載の装置。
【請求項２０】
前記少なくとも１つのプロセッサが、
前記第１のバンドルされたＭ−ＰＤＣＣＨ候補の前記複数のサブフレームのすべてが前記ＤＲＸオン持続時間内にある場合、前記第１のバンドルされたＭ−ＰＤＤＣＨ候補を復号することと、
前記第１のバンドルされたＭ−ＰＤＤＣＨ候補の前記複数のサブフレームのうちの少なくとも１つのサブフレームが前記ＤＲＸオン持続時間の外部にある場合、前記第１のバンドルされたＭ−ＰＤＤＣＨ候補を復号することを控えることと
を行うようにさらに構成された、請求項１９に記載の装置。
【請求項２１】
前記第１のバンドルされたＭ−ＰＤＣＣＨ候補の前記複数のサブフレームが前記ＤＲＸオン持続時間内にあるかどうかの前記決定が、前記ＤＲＸオン持続時間を拡張することなしに行われる、請求項１９に記載の装置。
【請求項２２】
前記少なくとも１つのプロセッサが、
前記第１のバンドルされたＭ−ＰＤＣＣＨ候補と第２のバンドルされたＭ−ＰＤＣＣＨとを含む、複数のバンドルされたＭ−ＰＤＣＣＨ候補を搬送するサブフレームのセットを決定することと、
前記ＤＲＸオン持続時間と前記第１のバンドルされたＭ−ＰＤＣＣＨ候補の前記サブフレームとの間の重複に少なくとも基づいて、前記第１のバンドルされたＭ−ＰＤＣＣＨ候補を監視することを決定することと
を行うようにさらに構成された、請求項１８に記載の装置。
【請求項２３】
前記少なくとも１つのプロセッサが、
複数のバンドルされたＭ−ＰＤＣＣＨ候補のうちの１つを監視することを決定すること、前記１つのバンドルされたＭ−ＰＤＣＣＨ候補が前記ＤＲＸオン持続時間内に各サブフレームを有する、
を行うようにさらに構成された、請求項１８に記載の装置。
【請求項２４】
ユーザ機器（ＵＥ）におけるワイヤレス通信のためのコンピュータ実行可能コードを記憶するコンピュータ可読媒体であって、
間欠受信（ＤＲＸ）オン持続時間を決定することと、
第１のバンドルされたＭＴＣ物理ダウンリンク制御チャネル（Ｍ−ＰＤＣＣＨ）候補を搬送するサブフレームのセットを決定することと、サブフレームの前記セットが複数のサブフレームを含む、
前記ＤＲＸオン持続時間がサブフレームの前記セットと少なくとも部分的に重複すると決定することと、
（ａ）前記第１のバンドルされたＭ−ＰＤＣＣＨ候補を復号することを控えること、    （ｂ）前記第１のバンドルされたＭ−ＰＤＣＣＨ候補を復号すること、または
（ｃ）サブフレームの前記セットを全体的に含めるために前記ＤＲＸオン持続時間を拡張すること、および前記拡張されたＤＲＸオン持続時間中のサブフレームの前記セット中で搬送される前記第１のバンドルされたＭ−ＰＤＣＣＨ候補を復号すること
のうちの１つを実行することと
を行うためのコードを備える、コンピュータ可読媒体。
【請求項２５】
前記第１のバンドルされたＭ−ＰＤＤＣＨ候補の前記複数のサブフレームが前記ＤＲＸオン持続時間内にあるかどうかを決定すること
を行うためのコードをさらに備える、請求項２４に記載のコンピュータ可読媒体。
【請求項２６】
前記第１のバンドルされたＭ−ＰＤＣＣＨ候補の前記複数のサブフレームのすべてが前記ＤＲＸオン持続時間内にある場合、前記第１のバンドルされたＭ−ＰＤＤＣＨ候補を復号することと、
前記第１のバンドルされたＭ−ＰＤＤＣＨ候補の前記複数のサブフレームのうちの少なくとも１つのサブフレームが前記ＤＲＸオン持続時間の外部にある場合、前記第１のバンドルされたＭ−ＰＤＤＣＨ候補を復号することを控えることと
を行うためのコードをさらに備える、請求項２５に記載のコンピュータ可読媒体。
【請求項２７】
前記第１のバンドルされたＭ−ＰＤＣＣＨ候補の前記複数のサブフレームが前記ＤＲＸオン持続時間内にあるかどうかの前記決定が、前記ＤＲＸオン持続時間を拡張することなしに行われる、請求項２５に記載のコンピュータ可読媒体。
【請求項２８】
前記第１のバンドルされたＭ−ＰＤＣＣＨ候補と第２のバンドルされたＭ−ＰＤＣＣＨとを含む、複数のバンドルされたＭ−ＰＤＣＣＨ候補を搬送するサブフレームのセットを決定することと、
前記ＤＲＸオン持続時間と前記第１のバンドルされたＭ−ＰＤＣＣＨ候補の前記サブフレームとの間の重複に少なくとも基づいて、前記第１のバンドルされたＭ−ＰＤＣＣＨ候補を監視することを決定することと
を行うためのコードをさらに備える、請求項２４に記載のコンピュータ可読媒体。
【請求項２９】
複数のバンドルされたＭ−ＰＤＣＣＨ候補のうちの１つを監視することを決定すること、前記１つのバンドルされたＭ−ＰＤＣＣＨ候補が前記ＤＲＸオン持続時間内に各サブフレームを有する、
を行うためのコードをさらに備える、請求項２４に記載のコンピュータ可読媒体。
【請求項３０】
ユーザ機器（ＵＥ）におけるワイヤレス通信の方法であって、
前記ＵＥによって監視されるバンドルされたマシンタイプ通信（ＭＴＣ）物理ダウンリンク制御チャネル（Ｍ−ＰＤＣＣＨ）候補のパラメータを決定することと、
前記ＵＥの間欠受信（ＤＲＸ）構成に関連する指示を受信することと、
ＤＲＸ構成パラメータを決定することと、前記ＤＲＸ構成パラメータが、前記指示と前記Ｍ−ＰＤＣＣＨ候補の前記パラメータとの関数である、
を備える、方法。
【請求項３１】
前記バンドルされたＭ−ＰＤＣＣＨの前記パラメータが繰返しレベルを備える、請求項３０に記載の方法。
【請求項３２】
前記指示は、前記ＵＥがＰＤＣＣＨを監視すべきであるサブフレームの数を備える、請求項３０に記載の方法。
【請求項３３】
前記指示は、前記ＵＥがＰＤＣＣＨを監視すべきであるサブフレームの数を備え、前記方法が、
前記ＵＥによって監視される複数のバンドルされたＭ−ＰＤＣＣＨ候補の各々について繰返しレベルを決定することと、
前記複数のバンドルされたＭ−ＰＤＣＣＨ候補についての最大繰返しレベルと前記指示との関数としてＤＲＸオン持続時間を決定することと
をさらに備える、請求項３０に記載の方法。
【請求項３４】
ユーザ機器（ＵＥ）におけるワイヤレス通信のための装置であって、
前記ＵＥによって監視されるバンドルされたマシンタイプ通信（ＭＴＣ）物理ダウンリンク制御チャネル（Ｍ−ＰＤＣＣＨ）候補のパラメータを決定するための手段と、
前記ＵＥの間欠受信（ＤＲＸ）構成に関連する指示を受信するための手段と、
ＤＲＸ構成パラメータを決定するための手段と、前記ＤＲＸ構成パラメータが、前記指示と前記Ｍ−ＰＤＣＣＨ候補の前記パラメータとの関数である、
を備える、装置。
【請求項３５】
前記バンドルされたＭ−ＰＤＣＣＨの前記パラメータが繰返しレベルを備える、請求項３４に記載の装置。
【請求項３６】
前記指示は、前記ＵＥがＰＤＣＣＨを監視すべきであるサブフレームの数を備える、請求項３４に記載の装置。
【請求項３７】
前記指示は、前記ＵＥがＰＤＣＣＨを監視すべきであるサブフレームの数を備え、ここにおいて、前記パラメータを決定するための前記手段が、前記ＵＥによって監視される複数のバンドルされたＭ−ＰＤＣＣＨ候補の各々について繰返しレベルを決定し、ここにおいて、前記ＤＲＸ構成パラメータを決定するための前記手段が、前記複数のバンドルされたＭ−ＰＤＣＣＨ候補についての最大繰返しレベルと前記指示との関数としてＤＲＸオン持続時間を決定する、請求項３４に記載の装置。
【請求項３８】
ユーザ機器（ＵＥ）におけるワイヤレス通信のための装置であって、
メモリと、
前記メモリに結合された少なくとも１つのプロセッサと
を備え、前記少なくとも１つのプロセッサは、
前記ＵＥによって監視されるバンドルされたマシンタイプ通信（ＭＴＣ）物理ダウンリンク制御チャネル（Ｍ−ＰＤＣＣＨ）候補のパラメータを決定することと、
前記ＵＥの間欠受信（ＤＲＸ）構成に関連する指示を受信することと、
ＤＲＸ構成パラメータを決定することと、前記ＤＲＸ構成パラメータが、前記指示と前記Ｍ−ＰＤＣＣＨ候補の前記パラメータとの関数である、
を行うように構成された、
装置。
【請求項３９】
前記バンドルされたＭ−ＰＤＣＣＨの前記パラメータが繰返しレベルを備える、請求項３８に記載の装置。
【請求項４０】
前記指示は、前記ＵＥがＰＤＣＣＨを監視すべきであるサブフレームの数を備える、請求項３８に記載の装置。
【請求項４１】
前記指示は、前記ＵＥがＰＤＣＣＨを監視すべきであるサブフレームの数を備え、ここにおいて、前記パラメータを決定することが、前記ＵＥによって監視される複数のバンドルされたＭ−ＰＤＣＣＨ候補の各々について繰返しレベルを決定することを備え、ここにおいて、前記ＤＲＸ構成パラメータを決定することが、前記複数のバンドルされたＭ−ＰＤＣＣＨ候補についての最大繰返しレベルと前記指示との関数としてＤＲＸオン持続時間を決定することを備える、請求項３８に記載の装置。
【請求項４２】
ユーザ機器（ＵＥ）におけるワイヤレス通信のためのコンピュータ実行可能コードを記憶するコンピュータ可読媒体であって、
前記ＵＥによって監視されるバンドルされたマシンタイプ通信（ＭＴＣ）物理ダウンリンク制御チャネル（Ｍ−ＰＤＣＣＨ）候補のパラメータを決定することと、
前記ＵＥの間欠受信（ＤＲＸ）構成に関連する指示を受信することと、
ＤＲＸ構成パラメータを決定することと、前記ＤＲＸ構成パラメータが、前記指示と前記Ｍ−ＰＤＣＣＨ候補の前記パラメータとの関数である、
を行うためのコードを備える、コンピュータ可読媒体。
【請求項４３】
前記バンドルされたＭ−ＰＤＣＣＨの前記パラメータが繰返しレベルを備える、請求項４２に記載のコンピュータ可読媒体。
【請求項４４】
前記指示は、前記ＵＥがＰＤＣＣＨを監視すべきであるサブフレームの数を備える、請求項４２に記載のコンピュータ可読媒体。
【請求項４５】
前記指示は、前記ＵＥがＰＤＣＣＨを監視すべきであるサブフレームの数を備え、ここにおいて、前記パラメータを決定することが、前記ＵＥによって監視される複数のバンドルされたＭ−ＰＤＣＣＨ候補の各々について繰返しレベルを決定することを備え、ここにおいて、前記ＤＲＸ構成パラメータを決定することが、前記複数のバンドルされたＭ−ＰＤＣＣＨ候補についての最大繰返しレベルと前記指示との関数としてＤＲＸオン持続時間を決定することを備える、請求項４２に記載のコンピュータ可読媒体。
【請求項４６】
ユーザ機器（ＵＥ）におけるワイヤレス通信の方法であって、
サブフレームのセットについて半永続的スケジューリング（ＳＰＳ）許可を受信することと、サブフレームの前記セットが利用不可能なサブフレームを含む、
サブフレームの前記セット中の利用可能なサブフレームのサブセットを決定することと、
利用可能なサブフレームの前記サブセットに基づいて、サブフレームの前記セット中に受信または送信を調整することと
を備える、方法。
【請求項４７】
サブフレームの前記セット中に前記受信または送信を前記調整することが、前記利用不可能なサブフレームのためにおよび前記利用不可能なサブフレームの後のサブフレームの前記セットのいずれかのサブフレームのためにスケジュールされたバンドルされた送信を延期することをさらに備える、請求項４６に記載の方法。
【請求項４８】
サブフレームの前記セット中に前記受信または送信を前記調整することが、前記利用不可能なサブフレームのためにスケジュールされたバンドルされた送信をドロップすることをさらに備える、請求項４６に記載の方法。
【請求項４９】
サブフレームの前記セット中に前記受信または送信を前記調整することが、前記利用不可能なサブフレーム中に送信することを含むスケジュールされた送信をドロップすることをさらに備える、請求項４６に記載の方法。
【請求項５０】
サブフレームの前記セット中に前記受信または送信を前記調整することが、
前記サブフレームが第１のサブフレームであるとき、前記利用不可能なサブフレーム中に送信することを含むスケジュールされた送信をドロップすることと、
前記利用不可能なサブフレームが前記第１のサブフレームの後にあるとき、前記利用不可能なサブフレームのためにおよび前記利用不可能なサブフレームの後のサブフレームの前記セットのいずれかのサブフレームのためにスケジュールされたバンドルされた送信を延期することと
をさらに備える、請求項４６に記載の方法。
【請求項５１】
採用されるバンドリングの量に基づいて、サブフレームの前記セット中に前記受信または送信を調整するためのオプションを選択することをさらに備え、前記オプションが、    前記利用不可能なサブフレームのためにおよび前記利用不可能なサブフレームの後のサブフレームの前記セットのいずれかのサブフレームのためにスケジュールされたバンドルされた送信を延期することと、
前記利用不可能なサブフレームのためにスケジュールされたバンドルされた送信をドロップすることと、
前記利用不可能なサブフレーム中に送信することを含むスケジュールされた送信をドロップすることと
のうちの少なくとも１つを備える、
請求項４６に記載の方法。
【請求項５２】
ユーザ機器（ＵＥ）におけるワイヤレス通信のための装置であって、
サブフレームのセットについて半永続的スケジューリング（ＳＰＳ）許可を受信するための手段と、サブフレームの前記セットが利用不可能なサブフレームを含む、
サブフレームの前記セット中の利用可能なサブフレームのサブセットを決定するための手段と、
利用可能なサブフレームの前記サブセットに基づいて、サブフレームの前記セット中に受信または送信を調整するための手段と
を備える、装置。
【請求項５３】
サブフレームの前記セット中に前記受信または送信を調整するための前記手段が、前記利用不可能なサブフレームのためにおよび前記利用不可能なサブフレームの後のサブフレームの前記セットのいずれかのサブフレームのためにスケジュールされたバンドルされた送信を延期する、請求項５２に記載の装置。
【請求項５４】
サブフレームの前記セット中に前記受信または送信を調整するための前記手段が、前記利用不可能なサブフレームのためにスケジュールされたバンドルされた送信をドロップする、請求項５２に記載の装置。
【請求項５５】
サブフレームの前記セット中に前記受信または送信を調整するための前記手段が、前記利用不可能なサブフレーム中に送信することを含むスケジュールされた送信をドロップする、請求項５２に記載の装置。
【請求項５６】
ユーザ機器（ＵＥ）におけるワイヤレス通信のための装置であって、
メモリと、
前記メモリに結合された少なくとも１つのプロセッサと
を備え、前記少なくとも１つのプロセッサは、
サブフレームのセットについて半永続的スケジューリング（ＳＰＳ）許可を受信することと、サブフレームの前記セットが利用不可能なサブフレームを含む、
サブフレームの前記セット中の利用可能なサブフレームのサブセットを決定することと、
利用可能なサブフレームの前記サブセットに基づいて、サブフレームの前記セット中に受信または送信を調整することと
を行うように構成された、
装置。
【請求項５７】
サブフレームの前記セット中に前記受信または送信を調整することが、前記利用不可能なサブフレームのためにおよび前記利用不可能なサブフレームの後のサブフレームの前記セットのいずれかのサブフレームのためにスケジュールされたバンドルされた送信を延期することを備える、請求項５６に記載の装置。
【請求項５８】
サブフレームの前記セット中に前記受信または送信を調整することが、前記利用不可能なサブフレームのためにスケジュールされたバンドルされた送信をドロップすることを備える、請求項５６に記載の装置。
【請求項５９】
サブフレームの前記セット中に前記受信または送信を調整することが、前記利用不可能なサブフレーム中に送信することを含むスケジュールされた送信をドロップすることを備える、請求項５６に記載の装置。
【請求項６０】
ユーザ機器（ＵＥ）におけるワイヤレス通信のためのコンピュータ実行可能コードを記憶するコンピュータ可読媒体であって、
サブフレームのセットについて半永続的スケジューリング（ＳＰＳ）許可を受信することと、サブフレームの前記セットが利用不可能なサブフレームを含む、
サブフレームの前記セット中の利用可能なサブフレームのサブセットを決定することと、
利用可能なサブフレームの前記サブセットに基づいて、サブフレームの前記セット中に受信または送信を調整することと
を行うためのコードを備える、コンピュータ可読媒体。
【請求項６１】
サブフレームの前記セット中に前記受信または送信を調整することが、前記利用不可能なサブフレームのためにおよび前記利用不可能なサブフレームの後のサブフレームの前記セットのいずれかのサブフレームのためにスケジュールされたバンドルされた送信を延期することを備える、請求項６０に記載のコンピュータ可読媒体。
【請求項６２】
サブフレームの前記セット中に前記受信または送信を調整することが、前記利用不可能なサブフレームのためにスケジュールされたバンドルされた送信をドロップすることを備える、請求項６０に記載のコンピュータ可読媒体。
【請求項６３】
サブフレームの前記セット中に前記受信または送信を調整することが、前記利用不可能なサブフレーム中に送信することを含むスケジュールされた送信をドロップすることを備える、請求項６０に記載のコンピュータ可読媒体。
【発明の詳細な説明】
【技術分野】
【０００１】
関連出願の相互参照
[0001]本出願は、その全体が参照により本明細書に明確に組み込まれる、２０１５年１０月２６日に出願された「DRX AND SPS FOR MTC WITH BUNDLED TRANSMISSIONS」と題する米国仮出願第６２／２４６，５６９号、および２０１６年８月１５日に出願された「DRX AND SPS FOR MTC WITH BUNDLED TRANSMISSIONS」と題する米国特許出願第１５／２３６，９４７号の利益を主張する。
【０００２】
[0002]本開示は、一般に通信システムに関し、より詳細には、マシンタイプ通信（ＭＴＣ）に適用される間欠受信（ＤＲＸ：discontinuous reception）および半永続的スケジューリング（ＳＰＳ：semi-persistent scheduling）に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソースを共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、様々なワイヤレスデバイスが都市、国家、地域、さらには地球規模で通信することを可能にする共通プロトコルを提供するために、様々な電気通信規格において採用されている。例示的な電気通信規格はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の向上のセットである。ＬＴＥは、ダウンリンク上ではＯＦＤＭＡを使用し、アップリンク上ではＳＣ−ＦＤＭＡを使用し、多入力多出力（ＭＩＭＯ）アンテナ技術を使用して、スペクトル効率の改善、コストの低下、およびサービスの改善を通して、モバイルブロードバンドアクセスをサポートするように設計されている。しかしながら、モバイルブロードバンドアクセスに対する需要が増加し続けるにつれて、ＬＴＥ技術のさらなる改善が必要である。これらの改善はまた、他の多元接続技術と、これらの技術を採用する電気通信規格とに適用可能であり得る。
【０００５】
[0005]間欠受信（ＤＲＸ）は、ユーザ機器（ＵＥ）のバッテリー寿命を温存するためにワイヤレス通信において使用され得る技法である。ＤＲＸを実行するために、ＵＥとネットワークとは、ＵＥがネットワークとのデータ転送を可能にするために受信機を電源投入する、起動ウィンドウ期間をネゴシエートし得る。起動ウィンドウ期間の外部に、ＵＥは、バッテリー寿命を温存するために、受信機をオフにし、低電力状態または０電力状態（a low or zero power state）に入り得る。
【０００６】
[0006]向上されたマシンタイプ通信（ｅＭＴＣ：enhanced machine type communication）では、複数のサブフレームにおける繰返しを使用して、チャネルが時間領域においてバンドルされ得る。ＭＴＣまたはｅＭＴＣのための現在の半永続的スケジューリング（ＳＰＳ）およびＤＲＸは、そのような繰返しに適応しないことがある。
【発明の概要】
【０００７】
[0007]以下は、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示されるより詳細な説明の導入として、１つまたは複数の態様のいくつかの概念を簡略化された形で提示することである。
【０００８】
[0008]ｅＭＴＣでは、チャネルはバンドルされ得、たとえば、複数のサブフレームを使用して繰り返され得る。たとえば、制御チャネルが、２つのサブフレームごとに２の繰返しレベル（a repetition level of 2 every 2 subframes）、４つのサブフレームごとに４の繰返しレベルなどを使用し得る。また、データチャネルが動的長さを用いて（with）バンドルされ得る。時々、制御チャネルのための開始サブフレームが無線フレーム境界と整合されないことがある。
【０００９】
[0009]ＭＴＣ／ｅＭＴＣのための現在のＳＰＳおよびＤＲＸは、そのような繰返しに適応しないことがある。たとえば、バンドルされたチャネルのための繰返しは、部分的にＤＲＸオン持続時間（DRX ON duration）内に入り（fall within）得、部分的にＤＲＸオン持続時間の外部にあり得る。したがって、ＵＥは、バンドルされたチャネルのサブフレームの一部分を受信するためにのみそれの受信機をオンにすることがある。
【００１０】
[0010]本開示は、ＤＲＸオン持続時間と部分的に重複するにすぎないバンドルされたチャネルを扱うための技法、ならびにバンドルされたチャネルのパラメータに基づいてＤＲＸ構成パラメータを決定することと、ＳＰＳ許可のために無効なサブフレームを扱うこととを行うための技法をＵＥに与えることによって、この問題を解決する。
【００１１】
[0011]本開示の一態様では、方法、コンピュータ可読媒体、および装置が提供される。本装置は、ＤＲＸオン持続時間を決定し、第１のバンドルされたＭＴＣ物理ダウンリンク制御チャネル（Ｍ−ＰＤＣＣＨ）候補を搬送するサブフレームのセットを決定し、サブフレームのセットは複数のサブフレームを含む。本装置は、ＤＲＸオン持続時間がサブフレームのセットと少なくとも部分的に重複すると決定し、（ａ）第１のバンドルされたＭ−ＰＤＣＣＨ候補を復号することを控えること、（ｂ）第１のバンドルされたＭ−ＰＤＣＣＨ候補を復号すること、または（ｃ）サブフレームのセットを全体的に（entirely）含めるためにＤＲＸオン持続時間を拡張すること、および拡張されたＤＲＸオン持続時間中のサブフレームのセット中で搬送される第１のバンドルされたＭ−ＰＤＣＣＨ候補を復号することのうちの１つを実行する。たとえば、本装置は、第１のバンドルされたＭ−ＰＤＣＣＨ候補の複数のサブフレームのすべてがＤＲＸオン持続時間内にある場合、第１のバンドルされたＭ−ＰＤＤＣＨ候補を復号し得、第１のバンドルされたＭ−ＰＤＤＣＨ候補の複数のサブフレームのうちの少なくとも１つのサブフレームがＤＲＸオン持続時間の外部にある場合、第１のバンドルされたＭ−ＰＤＤＣＨ候補を復号することを控え得る。
【００１２】
[0012]本開示の別の態様では、方法、コンピュータ可読媒体、および装置が提供される。本装置は、ＵＥによって監視されるＭ−ＰＤＣＣＨ候補のパラメータを決定し、ＵＥのＤＲＸ構成に関連する指示を受信し、ＤＲＸ構成パラメータを決定し、ＤＲＸ構成パラメータは、指示とＭ−ＰＤＣＣＨ候補のパラメータとの関数である。たとえば、バンドルされたＭ−ＰＤＣＣＨのパラメータは繰返しレベルを備え得、および／または、指示は、ＵＥがそれについてＰＤＣＣＨを監視すべきであるサブフレームの数を備え得る。
【００１３】
[0013]本開示の別の態様では、方法、コンピュータ可読媒体、および装置が提供される。本装置は、サブフレームのセットについてＳＰＳ許可を受信することと、サブフレームのセットが利用不可能なサブフレームを含む、サブフレームのセット中の利用可能なサブフレームのサブセットを決定することと、利用可能なサブフレームのサブセットに基づいて、サブフレームのセット中に受信または送信を調整することとを行う。たとえば、本装置は、利用不可能なサブフレームのためにおよび利用不可能なサブフレームの後のサブフレームのセットのいずれかのサブフレームのためにスケジュールされたバンドルされた送信を延期し得る。別の例として、本装置は、利用不可能なサブフレームのためにスケジュールされたバンドルされた送信をドロップするか、または利用不可能なサブフレームと部分的に重複するであろう送信全体をドロップし得る。
【００１４】
[0014]上記のおよび関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【図面の簡単な説明】
【００１５】
【図１】[0015]ワイヤレス通信システムおよびアクセスネットワークの一例を示す図。
【図２Ａ】[0016]ＤＬフレーム構造のＬＴＥ例を示す図。
【図２Ｂ】ＤＬフレーム構造内のＤＬチャネルのＬＴＥ例を示す図。
【図２Ｃ】ＵＬフレーム構造のＬＴＥ例を示す図。
【図２Ｄ】ＵＬフレーム構造内のＵＬチャネルのＬＴＥ例を示す図。
【図３】[0017]アクセスネットワーク中の発展型ノードＢ（ｅＮＢ）およびＵＥの一例を示す図。
【図４】[0018]Ｍ−ＰＤＣＣＨサブフレームおよびＤＲＸオン持続時間の例示的な構成の図。
【図５】[0019]Ｍ−ＰＤＣＣＨサブフレームおよびＤＲＸオン持続時間の例示的な構成の図。
【図６】[0020]Ｍ−ＰＤＣＣＨサブフレームおよびＤＲＸオン持続時間の例示的な構成の図。
【図７】[0021]Ｍ−ＰＤＣＣＨサブフレームおよびＤＲＸオン持続時間の例示的な構成の図。
【図８】[0022]Ｍ−ＰＤＣＣＨサブフレームおよびＤＲＸオン持続時間の例示的な構成の図。
【図９】[0023]ＣＳＩ基準サブフレームおよびＤＲＸサイクルの例示的な構成の図。
【図１０】[0024]ワイヤレス通信の方法のフローチャート。
【図１１】[0025]ワイヤレス通信の方法のフローチャート。
【図１２】[0026]ワイヤレス通信の方法のフローチャート。
【図１３】[0027]ワイヤレス通信の方法のフローチャート。
【図１４】[0028]ワイヤレス通信の方法のフローチャート。
【図１５】[0029]ワイヤレス通信の方法のフローチャート。
【図１６】[0030]ワイヤレス通信の方法のフローチャート。
【図１７】[0031]例示的な装置中の異なる手段／構成要素間のデータフローを示す概念データフロー図。
【図１８】[0032]処理システムを採用する装置のためのハードウェア実装形態の一例を示す図。
【発明を実施するための形態】
【００１６】
[0033]添付の図面に関して以下に記載される発明を実施するための形態は、様々な構成を説明するものであり、本明細書で説明される概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素がブロック図の形式で示される。
【００１７】
[0034]次に、様々な装置および方法に関して電気通信システムのいくつかの態様が提示される。これらの装置および方法は、以下の発明を実施するための形態において説明され、（「要素」と総称される）様々なブロック、構成要素、回路、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるかソフトウェアとして実装されるかは、特定の適用例および全体的なシステムに課される設計制約に依存する。
【００１８】
[0035]例として、要素、または要素の任意の部分、または要素の任意の組合せは、１つまたは複数のプロセッサを含む「処理システム」として実装され得る。プロセッサの例としては、マイクロプロセッサ、マイクロコントローラ、グラフィックス処理ユニット（ＧＰＵ）、中央処理ユニット（ＣＰＵ）、アプリケーションプロセッサ、デジタル信号プロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェア構成要素、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１９】
[0036]したがって、１つまたは複数の例示的な実施形態では、説明される機能は、ハードウェア、ソフトウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、光ディスクストレージ、磁気ディスクストレージ、他の磁気ストレージデバイス、上述のタイプのコンピュータ可読媒体の組合せ、あるいはコンピュータによってアクセスされ得る、命令またはデータ構造の形態のコンピュータ実行可能コードを記憶するために使用され得る任意の他の媒体を備えることができる。
【００２０】
[0037]図１は、ワイヤレス通信システムおよびアクセスネットワーク１００の一例を示す図である。（ワイヤレスワイドエリアネットワーク（ＷＷＡＮ）とも呼ばれる）ワイヤレス通信システムは、基地局１０２と、ＵＥ１０４と、発展型パケットコア（ＥＰＣ）１６０とを含む。基地局１０２は、マクロセル（高電力セルラー基地局）および／またはスモールセル（低電力セルラー基地局）を含み得る。マクロセルはｅＮＢを含む。スモールセルは、フェムトセル、ピコセル、およびマイクロセルを含む。
【００２１】
[0038]（発展型ユニバーサルモバイルテレコミュニケーションズシステム（ＵＭＴＳ）地上波無線アクセスネットワーク（Ｅ−ＵＴＲＡＮ）と総称される）基地局１０２は、バックホールリンク１３２（たとえば、Ｓ１インターフェース）を通してＥＰＣ１６０とインターフェースする。他の機能に加えて、基地局１０２は、以下の機能、すなわち、ユーザデータの転送と、無線チャネル暗号化および解読と、完全性保護と、ヘッダ圧縮と、モビリティ制御機能（たとえば、ハンドオーバ、デュアル接続性）と、セル間干渉協調と、接続セットアップおよび解放と、負荷分散と、非アクセス層（ＮＡＳ：non-access stratum）メッセージのための分配と、ＮＡＳノード選択と、同期と、無線アクセスネットワーク（ＲＡＮ：radio access network）共有と、マルチメディアブロードキャストマルチキャストサービス（ＭＢＭＳ：multimedia broadcast multicast service）と、加入者および機器トレースと、ＲＡＮ情報管理（ＲＩＭ：RAN information management）と、ページングと、測位と、警告メッセージの配信とのうちの１つまたは複数を実行し得る。基地局１０２は、バックホールリンク１３４（たとえば、Ｘ２インターフェース）上で互いと直接または間接的に（たとえば、ＥＰＣ１６０を通して）通信し得る。バックホールリンク１３４はワイヤードまたはワイヤレスであり得る。
【００２２】
[0039]基地局１０２はＵＥ１０４とワイヤレス通信し得る。基地局１０２の各々は、それぞれの地理的カバレージエリア１１０に通信カバレージを与え得る。重複する地理的カバレージエリア１１０があり得る。たとえば、スモールセル１０２’は、１つまたは複数のマクロ基地局１０２のカバレージエリア１１０と重複するカバレージエリア１１０’を有し得る。スモールセルとマクロセルの両方を含むネットワークが、異種ネットワークとして知られ得る。異種ネットワークはまた、限定加入者グループ（ＣＳＧ）として知られる限定グループにサービスを提供し得るホーム発展型ノードＢ（ｅＮＢ）（ＨｅＮＢ）を含み得る。基地局１０２とＵＥ１０４との間の通信リンク１２０は、ＵＥ１０４から基地局１０２への（逆方向リンクとも呼ばれる）アップリンク（ＵＬ）送信、および／または基地局１０２からＵＥ１０４への（順方向リンクとも呼ばれる）ダウンリンク（ＤＬ）送信を含み得る。通信リンク１２０は、空間多重化、ビームフォーミング、および／または送信ダイバーシティを含む、ＭＩＭＯアンテナ技術を使用し得る。通信リンクは、１つまたは複数のキャリアを通したものであり得る。基地局１０２／ＵＥ１０４は、各方向において送信のために使用される最高合計Ｙｘ  ＭＨｚ（ｘ個のコンポーネントキャリア）のキャリアアグリゲーションにおいて割り振られた、キャリアごとの最高Ｙ  ＭＨｚ（たとえば、５、１０、１５、２０ＭＨｚ）帯域幅のスペクトルを使用し得る。キャリアは、互いに隣接することも隣接しないこともある。キャリアの割振りは、ＤＬとＵＬとに対して非対称であり得る（たとえば、ＤＬの場合、ＵＬの場合よりも多いまたは少ないキャリアが割り振られ得る）。コンポーネントキャリアは、１次コンポーネントキャリアと、１つまたは複数の２次コンポーネントキャリアとを含み得る。１次コンポーネントキャリアは１次セル（ＰＣｅｌｌ）と呼ばれることがあり、２次コンポーネントキャリアは２次セル（ＳＣｅｌｌ）と呼ばれることがある。
【００２３】
[0040]ワイヤレス通信システムは、５ＧＨｚ無認可周波数スペクトル中で通信リンク１５４を介してＷｉ−Ｆｉ（登録商標）局（ＳＴＡ）１５２と通信しているＷｉ−Ｆｉアクセスポイント（ＡＰ）１５０をさらに含み得る。無認可周波数スペクトル中で通信するとき、ＳＴＡ１５２／ＡＰ１５０は、チャネルが利用可能であるかどうかを決定するために、通信するより前にクリアチャネルアセスメント（ＣＣＡ）を実行し得る。
【００２４】
[0041]スモールセル１０２’は、認可および／または無認可周波数スペクトル中で動作し得る。無認可周波数スペクトル中で動作するとき、スモールセル１０２’は、ＬＴＥを採用し、Ｗｉ−Ｆｉ  ＡＰ１５０によって使用されるのと同じ５ＧＨｚ無認可周波数スペクトルを使用し得る。無認可周波数スペクトル中でＬＴＥを採用するスモールセル１０２’は、アクセスネットワークへのカバレージをブーストし、および／またはアクセスネットワークの容量を増加させ得る。無認可スペクトルにおけるＬＴＥは、ＬＴＥ無認可（ＬＴＥ−Ｕ：LTE-unlicensed）、認可支援アクセス（ＬＡＡ）、またはＭｕＬＴＥｆｉｒｅと呼ばれることがある。
【００２５】
[0042]ＥＰＣ１６０は、モビリティ管理エンティティ（ＭＭＥ：Mobility Management Entity）１６２と、他のＭＭＥ１６４と、サービングゲートウェイ１６６と、マルチメディアブロードキャストマルチキャストサービス（ＭＢＭＳ）ゲートウェイ１６８と、ブロードキャストマルチキャストサービスセンター（ＢＭ−ＳＣ：Broadcast Multicast Service Center）１７０と、パケットデータネットワーク（ＰＤＮ）ゲートウェイ１７２とを含み得る。ＭＭＥ１６２はホーム加入者サーバ（ＨＳＳ）１７４と通信していることがある。ＭＭＥ１６２は、ＵＥ１０４とＥＰＣ１６０との間のシグナリングを処理する制御ノードである。概して、ＭＭＥ１６２はベアラおよび接続管理を行う。すべてのユーザインターネットプロトコル（ＩＰ）パケットはサービングゲートウェイ１６６を通して転送され、サービングゲートウェイ１６６自体はＰＤＮゲートウェイ１７２に接続される。ＰＤＮゲートウェイ１７２はＵＥのＩＰアドレス割振りならびに他の機能を与える。ＰＤＮゲートウェイ１７２およびＢＭ−ＳＣ１７０はＩＰサービス１７６に接続される。ＩＰサービス１７６は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１７０は、ＭＢＭＳユーザサービスプロビジョニングおよび配信のための機能を与え得る。ＢＭ−ＳＣ１７０は、コンテンツプロバイダＭＢＭＳ送信のためのエントリポイントとして働き得、パブリックランドモバイルネットワーク（ＰＬＭＮ：public land mobile network）内のＭＢＭＳベアラサービスを許可し、開始するために使用され得、ＭＢＭＳ送信をスケジュールするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを配信するために使用され得、セッション管理（開始／停止）と、ｅＭＢＭＳ関係の課金情報を収集することとを担当し得る。
【００２６】
[0043]基地局は、ノードＢ、発展型ノードＢ（ｅＮＢ）、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。基地局１０２は、ＵＥ１０４にＥＰＣ１６０へのアクセスポイントを与える。ＵＥ１０４の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、スマートデバイス、ウェアラブルデバイス、または任意の他の同様の機能デバイスがある。ＵＥ１０４は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２７】
[0044]再び図１を参照すると、いくつかの態様では、ＵＥ１０４は、ＤＲＸ構成パラメータを決定するためのおよび／またはＤＲＸオン持続時間と部分的に重複するバンドルされたＭ−ＰＤＣＣＨ候補をどのように扱うべきかを決定するように構成されたＤＲＸ構成要素１９８を備え得る。他の態様では、ＵＥ１０４は、ＳＰＳ許可のサブフレームが利用不可能であるとき、ＤＲＸ受信または送信を調整するように構成されたＳＰＳ構成要素１９９を備え得る。
【００２８】
[0045]図２Ａは、ＬＴＥにおけるＤＬフレーム構造の一例を示す図２００である。図２Ｂは、ＬＴＥにおけるＤＬフレーム構造内のチャネルの一例を示す図２３０である。図２Ｃは、ＬＴＥにおけるＵＬフレーム構造の一例を示す図２５０である。図２Ｄは、ＬＴＥにおけるＵＬフレーム構造内のチャネルの一例を示す図２８０である。他のワイヤレス通信技術は、異なるフレーム構造および／または異なるチャネルを有し得る。ＬＴＥでは、フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットは、１つまたは複数の（物理ＲＢ（ＰＲＢ：physical resource block）とも呼ばれる）時間並列リソースブロック（ＲＢ）を含む。リソースグリッドは複数のリソース要素（ＲＥ）に分割される。ＬＴＥでは、ノーマルサイクリックプレフィックスの場合、ＲＢは、合計８４個のＲＥについて、周波数領域中に１２個の連続するサブキャリアを含んでおり、時間領域中に７つの連続するシンボル（ＤＬの場合、ＯＦＤＭシンボル、ＵＬの場合、ＳＣ−ＦＤＭＡシンボル）を含んでいる。拡張サイクリックプレフィックスの場合、ＲＢは、合計７２個のＲＥについて、周波数領域内に１２個の連続するサブキャリアを含んでおり、時間領域内に６個の連続するシンボルを含んでいる。各ＲＥによって搬送されるビット数は変調方式に依存する。
【００２９】
[0046]図２Ａに示されているように、ＲＥのうちのいくつかが、ＵＥにおけるチャネル推定のためのＤＬ基準（パイロット）信号（ＤＬ−ＲＳ）を搬送する。ＤＬ−ＲＳは、（共通ＲＳと呼ばれることもある）セル固有基準信号（ＣＲＳ：cell-specific reference signal）と、ＵＥ固有基準信号（ＵＥ−ＲＳ：UE-specific reference signal）と、チャネル状態情報基準信号（ＣＳＩ−ＲＳ：channel state information reference signal）とを含み得る。図２Ａは、（それぞれ、Ｒ0、Ｒ1、Ｒ2、およびＲ3として示される）アンテナポート０、１、２、および３のためのＣＲＳと、（Ｒ5として示される）アンテナポート５のためのＵＥ−ＲＳと、（Ｒとして示される）アンテナポート１５のためのＣＳＩ−ＲＳとを示す。図２Ｂは、フレームのＤＬサブフレーム内の様々なチャネルの一例を示す。物理制御フォーマットインジケータチャネル（ＰＣＦＩＣＨ：physical control format indicator channel）は、スロット０のシンボル０内にあり、物理ダウンリンク制御チャネル（ＰＤＣＣＨ：physical downlink control channel）が１つのシンボルを占有するのか、２つのシンボルを占有するのか、３つのシンボルを占有するのかを示す制御フォーマットインジケータ（ＣＦＩ）を搬送する（図２Ｂは、３つのシンボルを占有するＰＤＣＣＨを示す）。ＰＤＣＣＨは、１つまたは複数の制御チャネル要素（ＣＣＥ）内でダウンリンク制御情報（ＤＣＩ）を搬送し、各ＣＣＥは９つのＲＥグループ（ＲＥＧ）を含み、各ＲＥＧは、ＯＦＤＭシンボル中に４つの連続するＲＥを含む。ＵＥは、ＤＣＩをも搬送するＵＥ固有向上ＰＤＣＣＨ（ｅＰＤＣＣＨ）で構成され得る。ｅＰＤＣＣＨは、２つ、４つ、または８つのＲＢペアを有し得る（図２Ｂは２つのＲＢペアを示し、各サブセットは１つのＲＢペアを含む）。物理ハイブリッド自動再送要求（ＡＲＱ：automatic repeat request）（ＨＡＲＱ：hybrid ARQ）インジケータチャネル（ＰＨＩＣＨ：physical HARQ indicator channel）もスロット０のシンボル０内にあり、物理アップリンク共有チャネル（ＰＵＳＣＨ：physical uplink shared channel）に基づいて、ＨＡＲＱ肯定応答（ＡＣＫ）／否定ＡＣＫ（ＮＡＣＫ）フィードバックを示すＨＡＲＱインジケータ（ＨＩ）を搬送する。１次同期チャネル（ＰＳＣＨ）は、フレームのサブフレーム０および５内のスロット０のシンボル６内にあり、サブフレームタイミングと物理レイヤ識別情報とを決定するためにＵＥによって使用される１次同期信号（ＰＳＳ）を搬送する。２次同期チャネル（ＳＳＣＨ）は、フレームのサブフレーム０および５内のスロット０のシンボル５内にあり、物理レイヤセル識別情報グループ番号を決定するためにＵＥによって使用される２次同期信号（ＳＳＳ）を搬送する。物理レイヤ識別情報と物理レイヤセル識別情報グループ番号とに基づいて、ＵＥは物理セル識別子（ＰＣＩ）を決定することができる。ＰＣＩに基づいて、ＵＥは上述のＤＬ−ＲＳのロケーションを決定することができる。物理ブロードキャストチャネル（ＰＢＣＨ：physical broadcast channel）は、フレームのサブフレーム０のスロット１のシンボル０、１、２、３内にあり、マスタ情報ブロック（ＭＩＢ：master information block）を搬送する。ＭＩＢは、ＤＬシステム帯域幅中のＲＢの数と、ＰＨＩＣＨ構成と、システムフレーム番号（ＳＦＮ）とを与える。物理ダウンリンク共有チャネル（ＰＤＳＣＨ：physical downlink shared channel）は、ユーザデータと、システム情報ブロック（ＳＩＢ：system information block）などのＰＢＣＨを通して送信されないブロードキャストシステム情報と、ページングメッセージとを搬送する。
【００３０】
[0047]図２Ｃに示されているように、ＲＥのうちのいくつかが、ｅＮＢにおけるチャネル推定のための復調基準信号（ＤＭ−ＲＳ）を搬送する。ＵＥは、サブフレームの最後のシンボル中でサウンディング基準信号（ＳＲＳ）をさらに送信し得る。ＳＲＳはコム（comb）構造を有し得、ＵＥは、コムのうちの１つ上でＳＲＳを送信し得る。ＳＲＳは、ｅＮＢによって、ＵＬ上での周波数依存スケジューリングを可能にするために、チャネル品質推定のために使用され得る。図２Ｄは、フレームのＵＬサブフレーム内の様々なチャネルの一例を示す。物理ランダムアクセスチャネル（ＰＲＡＣＨ：physical random access channel）が、ＰＲＡＣＨ構成に基づいてフレーム内の１つまたは複数のサブフレーム内にあり得る。ＰＲＡＣＨは、サブフレーム内に６つの連続するＲＢペアを含み得る。ＰＲＡＣＨは、ＵＥが初期システムアクセスを実行し、ＵＬ同期を達成することを可能にする。物理アップリンク制御チャネル（ＰＵＣＣＨ：physical uplink control channel）が、ＵＬシステム帯域幅のエッジ上に位置し得る。ＰＵＣＣＨは、スケジューリング要求、チャネル品質インジケータ（ＣＱＩ：channel quality indicator）、プリコーディング行列インジケータ（ＰＭＩ：precoding matrix indicator）、ランクインジケータ（ＲＩ：rank indicator）、およびＨＡＲＱ  ＡＣＫ／ＮＡＣＫフィードバックなど、アップリンク制御情報（ＵＣＩ）を搬送する。ＰＵＳＣＨは、データを搬送し、バッファステータス報告（ＢＳＲ）、パワーヘッドルーム報告（ＰＨＲ）、および／またはＵＣＩを搬送するためにさらに使用され得る。
【００３１】
[0048]図３は、アクセスネットワーク中でＵＥ３５０と通信しているｅＮＢ３１０のブロック図である。ＤＬでは、ＥＰＣ１６０からのＩＰパケットがコントローラ／プロセッサ３７５に与えられ得る。コントローラ／プロセッサ３７５はレイヤ３およびレイヤ２機能を実装する。レイヤ３は無線リソース制御（ＲＲＣ）レイヤを含み、レイヤ２は、パケットデータコンバージェンスプロトコル（ＰＤＣＰ）レイヤと、無線リンク制御（ＲＬＣ）レイヤと、媒体アクセス制御（ＭＡＣ）レイヤとを含む。コントローラ／プロセッサ３７５は、システム情報（たとえば、ＭＩＢ、ＳＩＢ）のブロードキャスティングと、ＲＲＣ接続制御（たとえば、ＲＲＣ接続ページング、ＲＲＣ接続確立、ＲＲＣ接続変更、およびＲＲＣ接続解放）と、無線アクセス技術（ＲＡＴ）間モビリティと、ＵＥ測定報告のための測定構成とに関連するＲＲＣレイヤ機能、ならびにヘッダ圧縮／復元と、セキュリティ（暗号化、解読、完全性保護、完全性検証）と、ハンドオーバサポート機能とに関連するＰＤＣＰレイヤ機能、ならびに上位レイヤパケットデータユニット（ＰＤＵ）の転送と、ＡＲＱを介した誤り訂正と、ＲＬＣサービスデータユニット（ＳＤＵ）の連結、セグメンテーション、およびリアセンブリと、ＲＬＣデータＰＤＵの再セグメンテーションと、ＲＬＣデータＰＤＵの並べ替えとに関連するＲＬＣレイヤ機能、ならびに論理チャネルとトランスポートチャネルとの間のマッピングと、トランスポートブロック（ＴＢ）上へのＭＡＣ  ＳＤＵの多重化と、ＴＢからのＭＡＣ  ＳＤＵのデマリプレクシングと、スケジューリング情報報告と、ＨＡＲＱを介した誤り訂正と、優先度処理と、論理チャネル優先度付けとに関連するＭＡＣレイヤ機能を与える。
【００３２】
[0049]送信（ＴＸ）プロセッサ３１６および受信（ＲＸ）プロセッサ３７０は、様々な信号処理機能に関連するレイヤ１機能を実装する。物理（ＰＨＹ）レイヤを含むレイヤ１は、トランスポートチャネル上の誤り検出と、トランスポートチャネルの前方誤り訂正（ＦＥＣ）コーディング／復号と、インターリービングと、レートマッチングと、物理チャネル上へのマッピングと、物理チャネルの変調／復調と、ＭＩＭＯアンテナ処理とを含み得る。ＴＸプロセッサ３１６は、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングを扱う。コーディングされ、変調されたシンボルは、次いで並列ストリームに分割され得る。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成され得る。ＯＦＤＭストリームは、複数の空間ストリームを生成するために空間的にプリコーディングされる。チャネル推定器３７４からのチャネル推定値は、コーディングおよび変調方式を決定するために、ならびに空間処理のために使用され得る。チャネル推定値は、ＵＥ３５０によって送信される基準信号および／またはチャネル状態フィードバックから導出され得る。各空間ストリームは、次いで、別個の送信機３１８ＴＸを介して異なるアンテナ３２０に与えられ得る。各送信機３１８ＴＸは、送信のためにそれぞれの空間ストリームでＲＦキャリアを変調し得る。
【００３３】
[0050]ＵＥ３５０において、各受信機３５４ＲＸは、それのそれぞれのアンテナ３５２を通して信号を受信する。各受信機３５４ＲＸは、ＲＦキャリア上に変調された情報を復元し、その情報を受信（ＲＸ）プロセッサ３５６に与える。ＴＸプロセッサ３６８およびＲＸプロセッサ３５６は、様々な信号処理機能に関連するレイヤ１機能を実装する。ＲＸプロセッサ３５６は、ＵＥ３５０に宛てられた任意の空間ストリームを復元するために、情報に対して空間処理を実行し得る。複数の空間ストリームがＵＥ３５０に宛てられた場合、それらはＲＸプロセッサ３５６によって単一のＯＦＤＭシンボルストリームに合成され得る。ＲＸプロセッサ３５６は、次いで、高速フーリエ変換（ＦＦＴ）を使用して、ＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボルと、基準信号とは、ｅＮＢ３１０によって送信される、可能性が最も高い信号コンスタレーションポイントを決定することによって復元され、復調される。これらの軟判定は、チャネル推定器３５８によって計算されるチャネル推定値に基づき得る。軟判定は、次いで、物理チャネル上でｅＮＢ３１０によって最初に送信されたデータと制御信号とを復元するために復号され、デインターリーブされる。データおよび制御信号は、次いで、レイヤ３およびレイヤ２機能を実装するコントローラ／プロセッサ３５９に与えられる。
【００３４】
[0051]コントローラ／プロセッサ３５９は、プログラムコードとデータとを記憶するメモリ３６０に関連付けられ得る。メモリ３６０はコンピュータ可読媒体と呼ばれることがある。ＵＬでは、コントローラ／プロセッサ３５９は、ＥＰＣ１６０からのＩＰパケットを復元するために、トランスポートチャネルと論理チャネルとの間の多重分離と、パケットリアセンブリと、解読と、ヘッダ復元と、制御信号処理とを行う。コントローラ／プロセッサ３５９はまた、ＨＡＲＱ動作をサポートするためにＡＣＫおよび／またはＮＡＣＫプロトコルを使用する誤り検出を担当する。
【００３５】
[0052]ｅＮＢ３１０によるＤＬ送信に関して説明された機能と同様に、コントローラ／プロセッサ３５９は、システム情報（たとえば、ＭＩＢ、ＳＩＢ）獲得と、ＲＲＣ接続と、測定報告とに関連するＲＲＣレイヤ機能、ならびにヘッダ圧縮／復元と、セキュリティ（暗号化、解読、完全性保護、完全性検証）とに関連するＰＤＣＰレイヤ機能、ならびに上位レイヤＰＤＵの転送と、ＡＲＱを介した誤り訂正と、ＲＬＣ  ＳＤＵの連結、セグメンテーション、およびリアセンブリと、ＲＬＣデータＰＤＵの再セグメンテーションと、ＲＬＣデータＰＤＵの並べ替えとに関連するＲＬＣレイヤ機能、ならびに論理チャネルとトランスポートチャネルとの間のマッピングと、ＴＢ上へのＭＡＣ  ＳＤＵの多重化と、ＴＢからのＭＡＣ  ＳＤＵのデマリプレクシングと、スケジューリング情報報告と、ＨＡＲＱを介した誤り訂正と、優先度処理と、論理チャネル優先度付けとに関連するＭＡＣレイヤ機能を与える。
【００３６】
[0053]ｅＮＢ３１０によって送信される基準信号またはフィードバックからの、チャネル推定器３５８によって導出されるチャネル推定値は、適切なコーディングおよび変調方式を選択することと、空間処理を可能にすることとを行うために、ＴＸプロセッサ３６８によって使用され得る。ＴＸプロセッサ３６８によって生成される空間ストリームは、別個の送信機３５４ＴＸを介して異なるアンテナ３５２に与えられ得る。各送信機３５４ＴＸは、送信のためにそれぞれの空間ストリームでＲＦキャリアを変調し得る。
【００３７】
[0054]ＵＬ送信は、ＵＥ３５０における受信機機能に関して説明された様式と同様の様式でｅＮＢ３１０において処理される。各受信機３１８ＲＸは、それのそれぞれのアンテナ３２０を通して信号を受信する。各受信機３１８ＲＸは、ＲＦキャリア上に変調された情報を復元し、その情報をＲＸプロセッサ３７０に与える。
【００３８】
[0055]コントローラ／プロセッサ３７５は、プログラムコードとデータとを記憶するメモリ３７６に関連付けられ得る。メモリ３７６はコンピュータ可読媒体と呼ばれることがある。ＵＬでは、コントローラ／プロセッサ３７５は、ＵＥ３５０からのＩＰパケットを復元するために、トランスポートチャネルと論理チャネルとの間の多重分離と、パケットリアセンブリと、解読と、ヘッダ復元と、制御信号処理とを行う。コントローラ／プロセッサ３７５からのＩＰパケットは、ＥＰＣ１６０に与えられ得る。コントローラ／プロセッサ３７５はまた、ＨＡＲＱ動作をサポートするためにＡＣＫおよび／またはＮＡＣＫプロトコルを使用する誤り検出を担当する。
【００３９】
[0056]カテゴリー０  ＵＥは、低コストＭＴＣ  ＵＥを含み得る。ＭＴＣ  ＵＥは、低減されたピークデータレート（たとえば、トランスポートブロックサイズについて最大１０００ビット）を用いて実装され得る。さらに、ＭＴＣ  ＵＥは、ランク１送信をサポートすることおよび／または１つの受信アンテナを有することに限定され得る。ＭＴＣ  ＵＥが半二重であるとき、ＭＴＣ  ＵＥは、ＬＴＥ規格に従うレガシーまたは非ＭＴＣ  ＵＥと比較して緩和された（relaxed）（送信から受信にまたは受信から送信に切り替わる）切替えタイミングを有し得る。たとえば、非ＭＴＣ  ＵＥは、２０マイクロ秒程度の切替え時間を有し得、ＭＴＣ  ＵＥは、１ミリ秒程度の切替え時間を有し得る。
【００４０】
[0057]ＭＴＣ  ＵＥは、たとえば、広帯域信号を監視すること、ＰＤＣＣＨとＥＰＤＣＣＨの両方を監視することなど、非ＭＴＣ  ＵＥと同様の方法でＤＬ制御チャネルを監視し得る。追加のＭＴＣ向上がサポートされ得る。ＭＴＣ  ＵＥは、狭帯域において動作するが、ＭＴＣ  ＵＥは、より広いシステム帯域幅（たとえば、１．４／３／５／１０／１５／２０ＭＨｚ）における動作も可能であり得る。たとえば、ＭＴＣ  ＵＥは、１．４ＭＨｚのシステム帯域幅において動作し得、６つのリソースブロック（ＲＢ）を使用し得る。さらに、ＭＴＣ  ＵＥは、１５ｄＢまでの向上されたカバレージを有し得る。
【００４１】
[0058]拡張カバレージサポートをもつｅＭＴＣでは、１つまたは複数のチャネルは、時間領域においてバンドルされ（たとえば、繰り返され）得る。特に、バンドルされたＭ−ＰＤＣＣＨは、送信のために複数のサブフレームを使用し得る。Ｍ−ＰＤＣＣＨのためのリソースが、ＭＴＣ  ＵＥが動作している狭帯域内のｅＰＤＣＣＨのための要件に従ってｅＮＢによって割り振られ得る。
【００４２】
[0059]ｅノードＢは、繰返しレベルをもつ（with）Ｍ−ＰＤＣＣＨを構成し得る。たとえば、繰返しレベル２をもつＭ−ＰＤＣＣＨが、２つの連続するサブフレーム中で繰り返され得る。繰返しレベル４をもつＭ−ＰＤＣＣＨが、４つの連続するサブフレーム中で繰り返される。繰返しのビットは同じであり得る。しかしながら、異なるスクランブリングシーケンスが繰返しのために使用され得る。ＭＴＣ  ＵＥは、Ｍ−ＰＤＣＣＨを確実に（reliably）復号するために、繰返しの各々または繰返しの大部分を受信する必要があり得る。したがって、ＭＴＣ  ＵＥは、２つのサブフレームごとに繰返しレベル２をもつＭ−ＰＤＣＣＨを監視し、４つのサブフレームごとに繰返しレベル４をもつＭ−ＰＤＣＣＨを監視する。繰返しレベル２および４のＭ−ＰＤＣＣＨ候補を監視するＭＴＣ  ＵＥは、Ｒ＝｛２，４｝の構成を有するものとして示され得る。
【００４３】
[0060]さらに、ＭＴＣ−ＰＵＳＣＨ（Ｍ−ＰＵＳＣＨ）およびＭＴＣ−ＰＤＳＣＨ（Ｍ−ＰＤＳＣＨ）など、データチャネルは、動的長さを用いてバンドルされ得る。たとえば、ｅノードＢは、Ｍ−ＰＤＣＣＨ中で、Ｍ−ＰＵＳＣＨが繰返しレベル１５を有することと、Ｍ−ＰＤＳＣＨが繰返しレベル１３を有することとを示し得る。静的ＴＴＩバンドリングがＰＵＳＣＨのために使用され得る。
【００４４】
[0061]すべてのサブフレームがＭＴＣ  ＵＥにおける受信または送信のために利用可能であるとは限らない。したがって、ｅＮＢは、アップリンクおよびダウンリンク中で、利用可能なサブフレームのパターンをシグナリングするように構成され得る。これは、Ｍ−ＰＤＣＣＨ監視のための開始サブフレームが無線フレーム境界と整合されないことを引き起こし得る。時々（At times）、ＤＲＸオン持続時間は、バンドルされたＭ−ＰＤＣＣＨサブフレーム、ＣＳＩ基準サブフレーム、またはＳＰＳ許可中のサブフレームのみと部分的に重複し得る。
【００４５】
[0062]したがって、複数のサブフレームに適応し（accommodate for）得、そのような部分重複状況に対処するＳＰＳおよびＤＲＸプロシージャのための改善された技法が必要である。
ＭＴＣおよびＤＲＸ
[0063]ＤＬ無線機サブフレームのＭ−ＰＤＣＣＨ領域では、特定のＭ−ＰＤＣＣＨが位置する多くの場所があり得る。Ｍ−ＰＤＣＣＨを取得するために、ＭＴＣ  ＵＥは、すべての可能なロケーションを探索し得る。Ｍ−ＰＤＣＣＨのための可能なロケーションは、Ｍ−ＰＤＣＣＨがＵＥ固有であるのか共通であるのか否かに応じて、また、使用されるアグリゲーションレベルに応じて異なる。Ｍ−ＰＤＣＣＨのためのすべての可能なロケーションは、探索空間と呼ばれることがあり、可能なロケーションの各々は、Ｍ−ＰＤＣＣＨ候補と呼ばれることがある。さらに、Ｍ−ＰＤＣＣＨがバンドルされた場合、探索空間は、２つ以上の（more than one）サブフレームを備え得る。
【００４６】
[0064]端末電力消費を低減するために、ＬＴＥ規格はＤＲＸのための機構を含む。ＤＲＸを実行するために、ＵＥとネットワークとは、ＵＥがそれの間にネットワークとのデータ転送を可能にするために受信機を電源投入する、起動ウィンドウ期間をネゴシエートし得る。起動ウィンドウ期間の外部に、ＵＥは、バッテリー寿命を温存するために、受信機をオフにし、低電力状態または０電力状態に入り得る。ＤＲＸサイクルが構成されると、ＭＴＣ  ＵＥは、ＤＲＸサイクルごとにＤＲＸオン持続時間のサブフレーム中のダウンリンク制御シグナリングのみを監視し、受信機回路が残りのサブフレーム中でオフに切り替えられると（または低減された消費モードにおいて）スリープし得る。ＤＲＸサイクルが受信機をより長い期間の間オフにさせることは、より大きい電力節約を与える。
【００４７】
[0065]バンドルされたＭ−ＰＤＣＣＨ候補のためのサブフレームは、ＤＲＸオン持続時間と部分的にのみ重複し得るか、または完全に（completely）ＤＲＸオン持続時間の外部に入り（fall outside）得る。
【００４８】
[0066]図４は、ＭＴＣ  ＵＥのためのＤＲＸオン持続時間および複数のＭ−ＰＤＣＣＨ候補の構成を示す図４００である。この例では、図示のように、サブフレーム４２２、４２４、４２６、４２８は、時間領域における４つの連続するサブフレームである。さらに、ＭＴＣ  ＵＥは、ＤＲＸサイクル中の１つまたは複数のサブフレームと重複するＤＲＸオン持続時間を用いて構成され得る。この例では、ＤＲＸオン持続時間４１０は、２つのサブフレーム（たとえば、サブフレーム４２２およびサブフレーム４２４）と重複する。
【００４９】
[0067]繰返しレベル２をもつＭ−ＰＤＣＣＨ候補Ａ４０２は、サブフレーム４２２とサブフレーム４２４とを備え、したがって、全体として（wholly）ＤＲＸオン４１０内に位置する。
【００５０】
[0068]繰返しレベル２をもつＭ−ＰＤＣＣＨ候補Ｂ４０４は、サブフレーム４２６とサブフレーム４２８とを備える。Ｍ−ＰＤＣＣＨ候補Ｂ４０４は、全体としてＤＲＸオン４１０の外部に入る。
【００５１】
[0069]繰返しレベル４をもつＭ−ＰＤＣＣＨ候補Ｃ４０６は、サブフレーム４２２、４２４、４２６、４２８を備える。したがって、Ｍ−ＰＤＣＣＨ候補Ｃ４０６は、（サブフレーム４２２および４２４について）部分的にＤＲＸオン４１０内にあり、（サブフレーム４２６および４２８について）部分的にＤＲＸオン４１０の外部に入る。
【００５２】
[0070]図５は、ＭＴＣ  ＵＥのためのＤＲＸオン持続時間および複数のＭ−ＰＤＣＣＨ候補の別の例示的な構成を示す図５００である。この例では、図示のように、サブフレーム５２２、５２４、５２６、５２８は、時間領域における４つの連続するサブフレームである。さらに、この例では、ＤＲＸオン持続時間５１０は、２つのサブフレーム（たとえば、サブフレーム５２４およびサブフレーム５２６）と重複する。図４中の例とは対照的に、ＤＲＸオン持続時間５１０の開始は、Ｍ−ＰＤＣＣＨ候補の開始サブフレームに関してオフセットされる。
【００５３】
[0071]繰返しレベル２をもつＭ−ＰＤＣＣＨ候補Ａ５０２は、サブフレーム５２２とサブフレーム５２４とを備える。繰返しレベル２をもつＭ−ＰＤＣＣＨ候補Ｂ５０４は、サブフレーム５２６とサブフレーム５２８とを備える。繰返しレベル４をもつＭ−ＰＤＣＣＨ候補Ｃ５０６は、サブフレーム５２２、５２４、５２６、５２８を備える。
【００５４】
[0072]この例では、Ｍ−ＰＤＣＣＨ候補Ａ５０２は、（たとえば、サブフレーム５２４において）部分的にＤＲＸオン持続時間５１０内にあり、（たとえば、サブフレーム５２２において）部分的にＤＲＸオン持続時間５１０の外部にある。Ｍ−ＰＤＣＣＨ候補Ｂ５０４は、（たとえば、サブフレーム５２６において）部分的にＤＲＸオン持続時間５１０内にあり、（たとえば、サブフレーム５２８において）部分的にＤＲＸオン持続時間５１０の外部にある。Ｍ−ＰＤＣＣＨ候補Ｃ５０６は、（たとえば、サブフレーム５２４およびサブフレーム５２６において）部分的にＤＲＸオン持続時間５１０内にあり、（たとえば、サブフレーム５２２およびサブフレーム５２８において）部分的にＤＲＸオン持続時間５１０の外部にある。
【００５５】
[0073]したがって、図５では、Ｍ−ＰＤＣＣＨ候補のいずれも、全体としてＤＲＸオン持続時間内にあるとは限らない（none of the M-PDCCH candidates is wholly within the DRX ON duration）。代わりに、Ｍ−ＰＤＣＣＨ候補の各々は、ＤＲＸオン持続時間５１０の外部に少なくとも１つのサブフレームを有する。
【００５６】
[0074]図６は、サブフレーム６２２、６２４、６３６、６２８、６３０、６３２、６３４、および６３６を示す別の例６００を示す。ＤＲＸオン持続時間６１０は、サブフレーム６２４および６２６にわたる。図６は、２つの繰返しを有する複数のＭ−ＰＤＣＣＨ候補、すなわち、候補Ａ６０１、候補Ｂ６０２、候補Ｅ６０５および候補Ｆ６０６を示す。図６は、４つの繰返しを有する複数のＭ−ＰＤＣＣＨ候補、すなわち、候補Ｃ６０３、候補Ｇ６０７を示す。候補Ｄ６０４は、８つのサブフレームの繰返しを有する。
【００５７】
[0075]ＭＴＣ  ＵＥは、バンドルされたＭ−ＰＤＣＣＨ候補およびＤＲＸオン持続時間との部分重複の課題（challenge）に対処するようにいくつかの方法で構成され得る。
フルに（Fully）ＤＲＸオン内の候補のみを復号する
[0076]第１の例では、ＭＴＣ  ＵＥは、全体的にＤＲＸオン持続時間中に含まれているＭ−ＰＤＣＣＨ候補のみを復号するように構成され得る。したがって、図４に示されている例では、ＭＴＣ  ＵＥは、Ｍ−ＰＤＣＣＨ候補Ａ４０２（たとえば、サブフレーム４２２およびサブフレーム４２４）を搬送するサブフレームセットが全体的にＤＲＸオン持続時間４１０内にあるので、Ｍ−ＰＤＣＣＨ候補Ａ４０２を復号し得る。ＭＴＣ  ＵＥは、これらのＭ−ＰＤＣＣＨ候補Ｂ７０４を搬送するサブフレームセットがＤＲＸオン持続時間４１０の外部に拡張するので、Ｍ−ＰＤＣＣＨ候補Ｂ４０４とＭ−ＰＤＣＣＨ候補Ｃ４０６とを復号することを控え（refrain from）得る。図５に示されている例では、ＭＴＣ  ＵＥは、Ｍ−ＰＤＣＣＨ候補５０３、５０４、５０６が各々、ＤＲＸオン持続時間５１０の外部に少なくとも１つのサブフレームを備えるので、これらのＭ−ＰＤＣＣＨ候補のうちのいずれも復号しない。図６では、ＵＥは、いずれも完全にはＤＲＸオン６１０内に入らないので、Ｍ−ＰＤＣＣＨ候補のうちのいずれも復号しないであろう。
部分的にＤＲＸオン内の候補を復号する
[0077]第２の例では、ＭＴＣ  ＵＥは、少なくとも部分的にＤＲＸオン持続時間内にあるサブフレームを有するＭ−ＰＤＣＣＨ候補を復号するように構成され得る。
【００５８】
[0078]ＭＴＣ  ＵＥは、ＤＲＸオン持続時間４１０内に開始し、少なくとも部分的にＤＲＸオン持続時間４１０内にあるＭ−ＰＤＣＣＨ候補のみを復号するように構成され得る。したがって、図４に示されている例では、ＭＴＣ  ＵＥは、Ｍ−ＰＤＣＣＨ候補Ａ４０２とＭ−ＰＤＣＣＨ候補Ｃ４０６とを復号し得る。Ｍ−ＰＤＣＣＨ候補Ａ４０２とＭ−ＰＤＣＣＨ候補Ｃ４０６とを搬送するサブフレームセットは、両方とも、ＤＲＸオン持続時間４１０内に（たとえば、サブフレーム４２２において）開始する。ＭＴＣ  ＵＥは、Ｍ−ＰＤＣＣＨ候補Ｂ４０４を搬送するサブフレームセットが、ＤＲＸオン持続時間内に開始せず、ＤＲＸオン持続時間４１０と部分的に重複しないので、Ｍ−ＰＤＣＣＨ候補Ｂ４０４を復号することを控え得る。図５に示されている例では、ＭＴＣ  ＵＥは、Ｍ−ＰＤＣＣＨ候補Ｂ５０４を復号し得る。Ｍ−ＰＤＣＣＨ候補Ｂ５０４を搬送するサブフレームセットは、ＤＲＸオン持続時間５１０内に（たとえば、サブフレーム５２６において）開始し、部分的にＤＲＸオン持続時間５１０内にある。ＭＴＣ  ＵＥは、Ｍ−ＰＤＣＣＨ候補Ａ５０２とＭ−ＰＤＣＣＨ候補Ｃ５０６とを搬送するサブフレームセットが各々、ＤＲＸオン持続時間５１０の外部で開始するので、Ｍ−ＰＤＣＣＨ候補Ａ５０２とＭ−ＰＤＣＣＨ候補Ｃ５０６とを復号することを控え得る。図６では、ＵＥは、ＤＲＸオン６１０内に開始する候補Ｂ６０２のみを復号するであろう。
【００５９】
[0079]ＭＴＣ  ＵＥは、代わりに、ＤＲＸオン持続時間内に終了し、少なくとも部分的にＤＲＸオン持続時間内にあるＭ−ＰＤＣＣＨ候補のみを復号するように構成され得る。したがって、図４に示されている例では、ＭＴＣ  ＵＥは、Ｍ−ＰＤＣＣＨ候補Ａ４０２を搬送するサブフレームセットがＤＲＸオン持続時間４１０内に（たとえば、サブフレーム４２４において）終了するので、Ｍ−ＰＤＣＣＨ候補Ａ４０２を復号し得る。ＭＴＣ  ＵＥは、これらのＭ−ＰＤＣＣＨ候補Ｃを搬送するサブフレームセットが各々、ＤＲＸオン持続時間４１０の外部で終了するので、Ｍ−ＰＤＣＣＨ候補Ｂ４０４とＭ−ＰＤＣＣＨ候補Ｃ４０６とを復号することを控え得る。図５に示されている例では、ＭＴＣ  ＵＥは、Ｍ−ＰＤＣＣＨ候補Ａ５０２を搬送するサブフレームセットが、ＤＲＸオン持続時間５１０内に（たとえば、サブフレーム５２４において）終了するので、Ｍ−ＰＤＣＣＨ候補Ａ５０２を復号し得る。ＭＴＣ  ＵＥは、これらのＭ−ＰＤＣＣＨ候補Ｂ８０４を搬送するサブフレームセットがＤＲＸオン持続時間５１０の外部で終了するので、Ｍ−ＰＤＣＣＨ候補Ｂ５０４とＭ−ＰＤＣＣＨ候補Ｃ５０６とを復号することを控え得る。図６では、ＵＥは、ＤＲＸオン６１０中に終了する候補Ａ６０１のみを復号するであろう。
【００６０】
[0080]ＭＴＣ  ＵＥは、代わりに、少なくとも部分的にＤＲＸオン持続時間内にある任意のＭ−ＰＤＣＣＨ候補を復号するように構成され得る。したがって、図４に示されている例では、ＭＴＣ  ＵＥは、Ｍ−ＰＤＣＣＨ候補Ａ４０２とＭ−ＰＤＣＣＨ候補Ｃ４０６とを復号し得る。Ｍ−ＰＤＣＣＨ候補Ａ４０２とＭ−ＰＤＣＣＨ候補Ｃ４０６とを搬送するサブフレームセットは両方とも、少なくとも部分的にＤＲＸオン持続時間４１０内にある。ＭＴＣ  ＵＥは、Ｍ−ＰＤＣＣＨ候補Ｂ４０４を搬送するサブフレームセットが、少なくとも部分的に元のＤＲＸオン持続時間４１０内にないので、Ｍ−ＰＤＣＣＨ候補Ｂ４０４を復号することを控え得る。図５に示されている例では、ＭＴＣ  ＵＥは、Ｍ−ＰＤＣＣＨ候補Ａ５０２、Ｍ−ＰＤＣＣＨ候補Ｂ５０４、およびＭ−ＰＤＣＣＨ候補Ｃ５０６が各々、ＤＲＸオン５１０内に少なくとも１つのサブフレームを備えるので、これらのＭ−ＰＤＣＣＨ候補の各々を復号し得る。図６では、ＵＥは、候補Ａ６０１、候補Ｂ６０２、候補Ｃ６０３、および候補Ｄ６０４の各々を復号し得る。
【００６１】
[0081]ＭＴＣ  ＵＥは、ＤＲＸオン持続時間と少なくとも部分的に重複する複数の候補の中から選択するように構成され得る。たとえば、複数のＭ−ＰＤＣＣＨ候補の各々を搬送するそれぞれのサブフレームセットが、同じ長さを有し、少なくとも部分的にＤＲＸオン持続時間内にある場合、ＭＴＣ  ＵＥは、ルールに基づいて復号するために、複数のＭ−ＰＤＣＣＨ候補のうちの１つまたは複数を選択するように構成され得る。ルールは、ＵＥに第１のＭ−ＰＤＣＣＨ候補を選択させ得るか、またはＵＥにＤＲＸオン持続時間とのより高い量（higher amount）の重複を有するＭ−ＰＤＣＣＨ候補を選択させ得る。たとえば、図６では、ＵＥは、候補Ａ６０１、候補Ｂ６０２、候補Ｃ６０３、および候補Ｄ６０４のうちの１つを選択し得る。
ＤＲＸオン持続時間を拡張する
[0082]第３の例では、ＭＴＣ  ＵＥは、少なくとも部分的に元のＤＲＸオン持続時間内にある、サブフレームセット搬送するＭ−ＰＤＣＣＨ候補を復号するために、ＤＲＸオン持続時間の開始または終了を拡張するように構成され得る。さらに、拡張されたＤＲＸオン持続時間内にサブフレームセットによって同じく（also）搬送される任意のＭ−ＰＤＣＣＨ候補も、ＭＴＣ  ＵＥによって復号され得る。
【００６２】
[0083]したがって、図４に示されている例では、ＭＴＣ  ＵＥは、Ｍ−ＰＤＣＣＨ候補Ａ４０２とＭ−ＰＤＣＣＨ候補Ｃ４０６とを復号し得る。Ｍ−ＰＤＣＣＨ候補Ｃ４０６は、ＤＲＸオン４１０内に入るサブフレーム４２２および４２４を有する。したがって、ＵＥは、Ｍ−ＰＤＣＣＨ候補Ｃ４０６のサブフレームの各々が、拡張されたＤＲＸオン持続時間４１０−２Ｃ内に含まれているように、ＤＲＸオン４１０を、サブフレーム４２６および４２８を含む長さ拡張されたＤＲＸオン４１０−２Ｃに拡張することを決定し得る。図６は、ＤＲＸオン６１０が、元のＤＲＸオン６１０内にサブフレーム６２４、６２６を有した候補Ｄ６０４のサブフレームのすべてを含めるために、拡張されたＤＲＸオン６０１−Ａに拡張され得ることを示す。
【００６３】
[0084]ＭＴＣ  ＵＥは、ＤＲＸオン持続時間４１０内のサブフレーム４２２、４２４、４２６、４２８が、Ｍ−ＰＤＣＣＨ候補Ｂ４０４のサブフレームのすべてをも搬送すると決定し得る。したがって、ＭＴＣ  ＵＥは、Ｍ−ＰＤＣＣＨ候補Ｂ４０４をも復号し得る。
【００６４】
[0085]図５に示されている例では、ＭＴＣ  ＵＥは、Ｍ−ＰＤＣＣＨ候補５０２、５０４、５０６の各々と部分的に重複する。したがって、ＭＴＣ  ＵＥは、それのＤＲＸオンをサブフレーム５２２、５２４、５２６、および５２８の各々を含める構成されたように拡張され得、Ｍ−ＰＤＣＣＨ候補５０２、５０４、５０６の各々を復号し得る。ＤＲＸオン持続時間の終了が、ＤＲＸオン５１０−２Ａの場合のように拡張され得る。ＤＲＸオン持続時間の開始が、拡張されたＤＲＸオン５１０−２Ｂの場合のように拡張され得る。ＤＲＸオン持続時間の開始および終了が、５１０−２Ｃの場合のように拡張され得る。
非アクティビティタイマー
[0086]同様の問題が非アクティビティタイマーに関して生じ得る。ＵＥが、あるサブフレーム中でＰＤＣＣＨを復号する場合、ＵＥは、一般に、Ｍ−ＰＤＣＣＨ復号がないサブフレームの定義された数、たとえば、Ｍの後に、ＤＲＸに進むことができる。これは、非アクティビティタイマーと呼ばれ、Ｍ個のサブフレームが非アクティブであると見なされる。レガシーＬＴＥでは、ＰＤＣＣＨ／ｅＰＤＣＣＨはバンドルされず、Ｍは、有効な制御サブフレーム、すなわち、ＵＥがＰＤＣＣＨを監視することができるサブフレームに関してカウントされ得る。この値は、１程度に小さくなり得る。しかしながら、ｅＭＴＣでは、制御チャネルは、いくつかの（a number of）サブフレーム中でいくつかの繰返しを使用し得る。繰返し数は可変であり得、たとえば、ＵＥは、Ｒ＝２つ、４つ、８つの繰返しを監視する必要があり得る。したがって、ＵＥが部分的なバンドルされた制御チャネルを受信するとき、ＵＥは、Ｍ−ＰＤＣＣＨの部分的な受信を非アクティブサブフレームと見なすべきかどうかを決定する必要がある。ＵＥがＭ−ＰＤＣＣＨの部分的な受信を非アクティブサブフレームであると見なさない場合、ＵＥは、ＤＲＸに進む前に、Ｍ個の非アクティブサブフレームのほうへカウントし始めなければならない。
【００６５】
[0087]したがって、上記の例では、Ｍ−ＰＤＣＣＨを復号すべきかどうかを決定するのではなく、ＵＥは、Ｍ−ＰＤＣＣＨを受信されたものと見なし、非アクティビティタイマーをリセットすべきかどうかを決定し得る。
ＤＲＸオンをＭ−ＰＤＣＣＨ監視と整合させる
[0088]上記で説明されたように、ＤＲＸオンサイクルは、Ｍ−ＰＤＣＣＨサブフレームがＤＲＸとは別々に定義されるので、Ｍ−ＰＤＣＣＨのための開始サブフレームと整合されないことがある。ＵＥは、部分的に重複されたＭ−ＰＤＣＣＨサブフレームを低減するための方法で、整合の（in alignment）この差に対処し得る。ＭＴＣ  ＵＥは、ＭＰＤＣＣＨ開始サブフレーム（すなわち、Ｍ−ＰＤＣＣＨ監視のための初期サブフレーム）においてＤＲＸオン持続時間を開始するように構成され得る。
【００６６】
[0089]より詳細には、構成されたＤＲＸをもたない（without DRX configured）ＭＴＣ  ＵＥでは、ＭＰＤＣＣＨ開始サブフレームは、所与の基準サブフレームからのパターンに従う。たとえば、パターンは、ＭＴＣ  ＵＥによって監視されるＭ−ＰＤＣＣＨ候補の繰返しレベルに基づいて決定され得る。一例では、ＭＴＣ  ＵＥは、繰返しレベル２、４、および８をもつＭ−ＰＤＣＣＨ候補を監視する。ＭＴＣ  ＵＥは、最大繰返しレベルに基づいてパターンを決定し得る。したがって、ＭＴＣ  ＵＥは、特定のサブフレーム（たとえば、フレーム０、サブフレーム０）から開始する８番目のサブフレームごとにＭ−ＰＤＣＣＨ監視プロセスを開始し得る
[0090]ＤＲＸをもつＭＴＣ  ＵＥでは、Ｍ−ＰＤＣＣＨ開始サブフレームは、所与の基準サブフレームからのパターンに従い、ここで、基準サブフレームは、ＤＲＸオン持続時間の開始サブフレームであり得る。ＤＲＸオン持続時間の開始サブフレームが有効でない場合、ＭＴＣ  ＵＥは、ＤＲＸオン持続時間の開始サブフレームを次にまたは前に有効なものに調整する。
【００６７】
[0091]図７は、ＭＴＣ  ＵＥのためのＤＲＸオン持続時間およびＭ−ＰＤＣＣＨ開始サブフレームの構成を示す図７００である。この例では、構成されたＤＲＸをもたない、および繰返しレベル２、４、および８をもつＭ−ＰＤＣＣＨを監視するＭＴＣ  ＵＥは、それぞれ、サブフレーム０、サブフレーム８、およびサブフレーム１６において、第１、第２、および第３のＭ−ＰＤＣＣＨ監視プロセスを開始し得る。構成されたＤＲＸをもつ、および繰返しレベル２、４、および８をもつＭ−ＰＤＣＣＨを監視するＭＴＣ  ＵＥは、それぞれ、サブフレーム５、サブフレーム１３、およびサブフレーム２１において、第１、第２、および第３のＭ−ＰＤＣＣＨ監視プロセスを開始し得る。この例では、サブフレーム５は、ＭＴＣ  ＵＥのＤＲＸオン持続時間の開始でもある。
Ｍ−ＰＤＣＣＨパラメータの関数としてのＤＲＸパラメータ
[0092]ＭＴＣ  ＵＥは、Ｍ−ＰＤＣＣＨ構成に基づいてＤＲＸ構成パラメータを決定するように構成され得る。たとえば、ＤＲＸオン持続時間またはＤＲＸサイクルの他の態様など、ＤＲＸパラメータは、選択された繰返しレベルをもつＭ−ＰＤＣＣＨ候補を搬送するために使用される基準サブフレームセットの関数として定義され得る。たとえば、ＭＴＣ  ＵＥが２、４、および８の繰返しレベルをもつＭ−ＰＤＣＣＨ候補を監視するとき、ＭＴＣ  ＵＥは、８つのサブフレームを含む繰返しレベル８（すなわち、この例における最も大きい繰返しレベル）をもつＭ−ＰＤＣＣＨ候補を搬送するために使用されるサブフレームセットを基準サブフレームセットとして選択し得る。ＤＲＸオン持続時間は、第１の整数個の開始Ｍ−ＰＤＣＣＨ監視サブフレームとして構成され得る。
【００６８】
[0093]別の例では、ＤＲＸオン持続時間は、第１の数のサブフレームを用いて構成され得、ＤＲＸサイクルは、第２の数のサブフレームを用いて構成され得る。しかしながら、ＭＴＣ  ＵＥは、ＤＲＸオン持続時間の元の開始の前に、後に、またはより近くにある基準サブフレームセットの最初に開始するように、ＤＲＸオン持続時間をさらに調整し得る。
【００６９】
[0094]図８は、ＭＴＣ  ＵＥのためのＤＲＸオン持続時間およびＭ−ＰＤＣＣＨ開始サブフレームの別の構成を示す図８００である。この例では、図示のように、オプションＡに従うＭＴＣ  ＵＥが、１つの基準サブフレームセットのＤＲＸオン持続時間および３つの基準サブフレームセットのＤＲＸサイクル（すなわち、２つの基準サブフレームセットのＤＲＸオフ持続時間）を用いて構成され得る。この例では、上記で説明されたように、基準サブフレームセットは８つのサブフレームを含み、サブフレーム０において開始する。したがって、ＤＲＸオン持続時間は、サブフレーム０において開始し、サブフレーム７において終了する。ＤＲＸオフ持続時間は、サブフレーム８において開始し、サブフレーム２３において終了する。その後、ＤＲＸオン持続時間は、８つのサブフレームの間、再びサブフレーム２４において開始する。
【００７０】
[0095]この例では、オプションＢに従うＭＴＣ  ＵＥが、８つのサブフレームのＤＲＸオン持続時間および２０個のサブフレームのＤＲＸサイクルを用いて構成され得る。上記で説明されたように、基準サブフレームセットは、８つのサブフレームを含み、サブフレーム０において開始する。ＤＲＸオン持続時間は、サブフレーム０において開始し、サブフレーム７において終了する。ＤＲＸ構成によれば、次のＤＲＸオン持続時間は、サブフレーム２０において開始すべきである。この例におけるＭＴＣ  ＵＥは、サブフレーム２０が、サブフレーム１６において開始しサブフレーム２３において終了する基準サブフレームセット内にあると決定する。ＭＴＣ  ＵＥは、現在の基準サブフレームセットの開始時に（たとえば、サブフレーム１６において）ＤＲＸオン持続時間を開始することを決定し得る。ＭＴＣ  ＵＥは、次の基準サブフレームセットの開始時に（たとえば、サブフレーム２４において）ＤＲＸオン持続時間を開始することを決定し得る。さらに、ＭＴＣ  ＵＥは、基準サブフレームセットの開始時にＤＲＸオン持続時間を開始することを決定し得、ここで、開始は、最初に構成された開始（たとえば、サブフレーム２０）に最も近い。この例では、現在サブフレームセットの開始（すなわち、サブフレーム１６）と次のサブフレームセットの開始（すなわち、サブフレーム２４）とは、最初に（originally）構成された開始（たとえば、サブフレーム２０）までの同じ距離を有する。ＭＴＣ  ＵＥは、ルールに基づいてＤＲＸオン持続時間の開始を選択し得る。たとえば、ＭＴＣ  ＵＥは、前の開始（すなわち、サブフレーム１６）を選択し得るか、または代替ルールを実装し（および後の開始（すなわち、サブフレーム２４）を選択し）得る。
【００７１】
[0096]別の例では、Ｍ−ＰＤＣＣＨパラメータは、ＤＲＸオン持続時間を決定するために使用され得る。ＭＴＣ  ＵＥは、ＤＲＸオン持続時間を決定するために、ＰＤＣＣＨサブフレーム（ＰＳＦ）数を使用するＤＲＸオン持続時間タイマーを用いて構成され（be configured with）得る。ＰＳＦ数は、ＵＥが、起動し（awake）、ＰＤＣＣＨ／ｅＰＤＣＣＨを監視すべき、上記で説明された基準サブフレームセットの数を示す。ＭＴＣ  ＵＥは、それが、Ｍ−ＰＤＣＣＨ候補の繰返しレベルの関数として（as a function of）Ｍ−ＰＤＣＣＨを監視する、ＤＲＸオン持続時間を決定し得る。
【００７２】
[0097]たとえば、基準サブフレームセットは、最小繰返しレベル、最大繰返しレベル、またはＭＴＣ  ＵＥによって監視されるＭ−ＰＤＣＣＨ候補の繰返しレベルのすべてに基づいて決定され得る。この例では、ＭＴＣ  ＵＥが繰返しレベル２、４、および８をもつＭ−ＰＤＣＣＨ候補を監視するとき、および基準サブフレームセットは、最大繰返しレベルに基づく。ＭＴＣ  ＵＥは、ＰＳＦ３を用いて構成され得る。したがって、ＭＴＣ  ＵＥは、ＤＲＸオン持続時間を以下として決定し得る
[0098]ＤＲＸオン＝Ｍ−ＰＤＣＣＨのための最大繰返しレベル＊ＰＳＦ
[0099]この例では、ＤＲＸオンは、ＭＴＣ  ＵＥに、ＤＲＸオン持続時間が開始した後、２４個の有効なサブフレーム（すなわち、３×８つのサブフレーム）の間Ｍ−ＰＤＣＣＨを監視させ、これは、ＭＴＣ  ＵＥが最大繰返しレベルの３つのＭ−ＰＤＣＣＨ候補を復号することを可能にする。
【００７３】
[00100]別の例では、ＤＲＸオン持続時間タイマーは、ＰＳＦ  Ｘを用いて構成され得る。ＭＴＣ  ＵＥは、ＰＳＦ  ＸがＭＴＣ  ＵＥに少なくともＸ個のＭ−ＰＤＣＣＨ候補を復号するように命令すると解釈し得る。たとえば、ＭＴＣ  ＵＥが、繰返しレベル２および４をもつＭ−ＰＤＣＣＨ候補を監視する場合、ＰＳＦ２を用いて構成されたＤＲＸオン持続時間タイマーは、ＭＴＣ  ＵＥに少なくとも２つのＭ−ＰＤＣＣＨ候補（この例では繰返しレベル２をもつ１つと繰返しレベル４をもつ１つ）を復号するように命令する。したがって、ＭＴＣ  ＵＥは、アウェイクにとどまり（stays awake）、４つのサブフレームを復号する。
【００７４】
[00101]ＭＴＣ  ＵＥは、ＭＴＣ  ＵＥが残りのＤＲＸオン持続時間中の許可を予想しない場合、早期にＤＲＸオフモードに進む（スリープする）ように構成され得る。再び図５を参照すると、ＭＴＣ  ＵＥは、Ｍ−ＰＤＣＣＨ候補Ａ５０２、Ｍ−ＰＤＣＣＨ候補Ｂ４０４、およびＭ−ＰＤＣＣＨ候補Ｃ５０６を監視する。このＭＴＣ  ＵＥは、サブフレーム５２４中のＭ−ＰＤＣＣＨ候補Ｃ５０６の早期検出を実行し得る。ＭＴＣ  ＵＥは、Ｍ−ＰＤＣＣＨ候補Ｂ５０４がＭ−ＰＤＣＣＨ候補Ｃ５０６とフルに重複するためにＭ−ＰＤＣＣＨ候補Ｂ５０４が存在しないとＭＴＣ  ＵＥが決定し得るので、Ｍ−ＰＤＣＣＨ候補Ｃ５０６を正常に復号すると、ＤＲＸオフモードに進むことを決定し得る。
ＤＲＸをもつＭＴＣのためのＣＳＩ測定
[00102]ＭＴＣ  ＵＥがカバレージ向上モードにあるとき、ＭＴＣ  ＵＥは、ＣＳＩフィードバックを決定するために、基準サブフレーム（たとえば、４つ、６つ、または８つのサブフレーム）のグループ中の基準シンボルを測定し得る。低いＳＮＲおよび狭帯域状況（situations）では、１つのサブフレームは、正確なＣＳＩ測定を行うのに十分でないことがある。しかしながら、ＭＴＣ  ＵＥがサブフレーム（たとえば、サブフレームＮ）中でＣＳＩフィードバックを行うことを要求されること、および測定されるべき対応する基準サブフレームのグループ（たとえば、サブフレーム（Ｎ−７）〜（Ｎ−４））の１つまたは複数のサブフレームがＤＲＸオフ持続時間中にあることが可能であり得る。
【００７５】
[00103]図９は、ＭＴＣ  ＵＥのためのＤＲＸサイクルおよびＣＳＩ基準サブフレームの構成を示す図９００である。この例では、ＭＴＣ  ＵＥは、連続する、ＤＲＸオン持続時間９１０、ＤＲＸオフ持続時間９１２、およびＤＲＸオン持続時間９１４を用いて構成される。さらに、特定のサブフレームにおいてＣＳＩフィードバックを送信するために、対応する基準サブフレームのグループは、サブフレーム９４２、９４４、９４６、９４８を含む。さらに、サブフレーム９４２およびサブフレーム９４４は、ＤＲＸオフ持続時間９１２中にある。サブフレーム９４６およびサブフレーム９４８は、ＤＲＸオン持続時間９１４中にある。
【００７６】
[00104]第１の例では、対応する基準サブフレームのグループのいくつかのサブフレームがＤＲＸオン持続時間の外部にあるとき、ＭＴＣ  ＵＥは、ＣＳＩフィードバックを決定するために、対応する基準サブフレームのグループの各サブフレームを測定するために早期に起動し得る。図９では、ＭＴＣ  ＵＥは、サブフレーム９４２およびサブフレーム９４４を含めるためにＤＲＸオン持続時間９１４を拡張し得る。したがって、ＭＴＣ  ＵＥは、ＣＳＩフィードバックを生成するためにサブフレーム９４２、９４４、９４６、９４８を測定することができる。
【００７７】
[00105]第２の例では、対応する基準サブフレームのグループのいくつかのサブフレームがＤＲＸオン持続時間の外部にあり、ＤＲＸオフ持続時間がしきい値（たとえば、４つのサブフレーム、８つのサブフレーム）を超えないとき、ＭＴＣ  ＵＥは、ＤＲＸオフ持続時間中の対応する基準サブフレームを前のＤＲＸオン持続時間中の同数のサブフレームと置換し（substitute）得る。図９では、ＭＴＣ  ＵＥは、ＤＲＸオフ持続時間９１２がしきい値を超えないと決定し得る。したがって、ＭＴＣ  ＵＥは、ＤＲＸオフ持続時間９１２中にあるサブフレーム９４２およびサブフレーム９４４を交換する（replace）ために、サブフレーム９３６およびサブフレーム９３８を選択し得る。たとえば、サブフレーム９３６およびサブフレーム９３８は、ＤＲＸオン持続時間９１０中の最後の２つのサブフレームであり得る。したがって、ＭＴＣ  ＵＥは、ＣＳＩフィードバックを生成するために、サブフレーム９３６、サブフレーム９３８、サブフレーム９４６、およびサブフレーム９４８を測定することができる。
【００７８】
[00106]第３の例では、対応する基準サブフレームのグループがＤＲＸオン持続時間と部分的に重複するとき、ＵＥは、ＣＳＩフィードバックを生成するために、ＤＲＸオン持続時間の内部に（inside）ある対応する基準サブフレームのグループのサブフレームを測定し得る。図９では、ＭＴＣ  ＵＥは、ＣＳＩフィードバックを生成するために、ＤＲＸオン持続時間９１４中にあるサブフレーム９４６およびサブフレーム９４８を測定し得る。
【００７９】
[00107]第４の例では、対応する基準サブフレームのグループがＤＲＸオン持続時間と部分的に重複するとき、ＭＴＣ  ＵＥは、ＣＳＩフィードバックを生成するために基準サブフレームを測定することを控え得る。さらに、ＭＴＣ  ＵＥは、ＣＳＩフィードバックを送信することを控え得るか、またはデフォルトまたは前のＣＳＩ値を送信し得る。この例では、対応する基準サブフレームのグループがＤＲＸオン持続時間と部分的に重複するとき、ＭＴＣ  ＵＥは、ＤＲＸオフ持続時間中にあるグループのサブフレームの割合を決定する。さらに、割合がしきい値を超える場合、ＭＴＣ  ＵＥは、ＣＳＩフィードバックを生成するために基準サブフレームを測定しないことを決定し得る。たとえば、対応する基準サブフレームのグループが４つのサブフレームを含む場合、ＭＴＣ  ＵＥは、ＤＲＸオン持続時間中にグループの２つまたはそれ以上のサブフレームがあるとき、ＤＲＸオン持続時間中のサブフレームを測定する。
【００８０】
[00108]ＭＴＣ  ＵＥは、絶対サブフレーム数または有効サブフレーム数に基づいて、上記で説明されたサブフレーム数を決定し得る。さらに、ＭＴＣ  ＵＥは、様々なサブフレーム数を決定するために、絶対サブフレーム数および有効サブフレーム数の様々な組合せを使用し得る。たとえば、ＭＴＣ  ＵＥは、ＤＲＸオン持続時間の開始サブフレームを決定するために、絶対サブフレーム数を使用し得、ＤＲＸオン持続時間を決定するために、有効サブフレーム数を使用し得る（ＤＲＸオン持続時間タイマー）。
ＤＲＸをもつＭＴＣのためのＳＰＳ
[00109]別の態様では、ｅＮＢは、ＭＴＣ  ＵＥとのＤＬまたはＵＬ送信をスケジュールするためにＳＰＳを使用し得る。ｅＮＢは、一般に、ＳＰＳを用いてＲＲＣ構成を送信する。ＵＥは、ＳＰＳアクティブ化許可を受信し、次いで、ＳＰＳ非アクティブ化許可が受信されるか、または最大数の空のパケットが送信されるまで、許可に従って送信または受信する。ＳＰＳは、異なる周期性を用いて構成され得る。上記で説明されたように、ＭＴＣ  ＵＥは、半二重であり得、狭帯域において動作し得る。したがって、いくつかの（certain）状況では、ＳＰＳをアクティブ化した後に、ＭＴＣ  ＵＥは、ＳＰＳ非アクティブ化メッセージまたは他のタイプのシグナリングを検出するために、Ｍ−ＰＤＣＣＨを連続的に監視することが可能でないことがある。
【００８１】
[00110]たとえば、ＭＴＣ  ＵＥは、２０個のサブフレームのＭ−ＰＵＳＣＨバンドルサイズと、同じく２０個のサブフレームのＭ−ＰＤＣＣＨバンドルサイズとを用いて構成され得る。ＵＬ  ＳＰＳパラメータは、３０個のサブフレームのＭ−ＰＵＳＣＨ送信周期性を構成し得る。すなわち、ＭＴＣ  ＵＥは、（たとえば、サブフレーム０、サブフレーム３０、サブフレーム６０、．．．において開始する）３０個のサブフレームごとにＭ−ＰＵＳＣＨを送信する。したがって、２つの連続するＭ−ＰＵＳＣＨ送信間のギャップは、１０個のサブフレーム（たとえば、サブフレーム２０〜２９）である。ＭＴＣ  ＵＥは、Ｍ−ＰＤＣＣＨを復号するためにギャップを使用し得る。この例では、Ｍ−ＰＤＣＣＨバンドルサイズは、２０個のサブフレームであり、Ｍ−ＰＵＳＣＨ送信間のギャップは、ＭＴＣ  ＵＥが、２０個のサブフレームのＭ−ＰＤＣＣＨバンドルサイズを復号するための十分な時間を与えない。したがって、ＭＴＣ  ＵＥは、Ｍ−ＰＤＣＣＨ上で送信されるＳＰＳ非アクティブ化メッセージを受信することが可能でないことがある。この問題は、ＵＬ  ＳＰＳまたはＤＬ／ＵＬ  ＳＰＳの場合にも（with）生じ得る。
【００８２】
[00111]これらの問題に対処するために、ｅＮＢスケジューラが、２つのＳＰＳ送信間のＭ−ＰＤＣＣＨバンドルを復号するための十分な時間期間を与えるＳＰＳパラメータを選択するために実装され得る。ＳＰＳ周期性および送信バンドルサイズなど、ＵＬ（またはＤＬ）のためのＳＰＳパラメータは、ＤＬ（またはＵＬ）のための所望のバンドルサイズ、Ｍ−ＰＤＣＣＨのためのバンドルサイズ、Ｍ−ＰＤＣＣＨ開始サブフレーム、およびＳＰＳパラメータに基づいて決定され得る。
【００８３】
[00112]別の例では、ＭＴＣ  ＵＥは、ｅノードＢから受信されたＳＰＳパラメータ（たとえば、周期性）を１つまたは複数のチャネルのバンドルサイズの関数として解釈し得る。たとえば、ＳＰＳパラメータが１０個のサブフレームのＭ−ＰＵＳＣＨ周期性と１つのサブフレームのＭ−ＰＵＳＣＨバンドルサイズとを示すとき、ＭＴＣ  ＵＥは、使用されるべきＭ−ＰＵＳＣＨ周期性が１０個のサブフレーム（すなわち、１０×１）であると決定し得る。ＳＰＳパラメータが、１０個のサブフレームのＭ−ＰＵＳＣＨ周期性と４つのサブフレームのＭ−ＰＵＳＣＨバンドルサイズとを示すとき、ＭＴＣ  ＵＥは、使用されるべきＭ−ＰＵＳＣＨ周期性が４０個のサブフレーム（すなわち、１０×４）であると決定し得る。したがって、２つのＳＰＳ送信間のギャップは、ＭＴＣ  ＵＥがＭ−ＰＤＣＣＨを復号するための十分な時間期間を与え得る。
【００８４】
[00113]さらに、ＭＴＣ  ＵＥは、ＳＰＳ  Ｍ−ＰＵＳＣＨを送信するかまたはＭ−ＰＤＳＣＨを受信する間、Ｍ−ＰＤＣＣＨを監視しないことがある。
無効なサブフレーム
[00114]また別の態様では、ＭＴＣ  ＵＥがＳＰＳを使用しているとき、ＭＴＣ  ＵＥがＳＰＳ許可を受信するサブフレームは、ＵＬ／ＤＬ送信のために利用可能でないことがある。
【００８５】
[00115]この問題に対処するために、ＭＴＣ  ＵＥは、利用可能でないサブフレームのためにスケジュールされた送信を延期し得る。たとえば、ＭＴＣ  ＵＥとｅＮＢとの間のバンドルされた送信が、サブフレーム０、１、および２を割り振られ得る。この例では、ＳＰＳ送信により、サブフレーム１は利用可能でないことがある。ＵＥは、サブフレーム１および２のために割り振られた送信をサブフレーム２および３に延期し得る。すなわち、サブフレーム０、１、および２において送信するのではなく、送信機は、サブフレーム０、２、および３においてバンドルを送信する。
【００８６】
[00116]別の例では、ＭＴＣ  ＵＥは、利用可能でないサブフレームを割り振られた（allocated with a subframe）送信をドロップし得る。たとえば、ＭＴＣ  ＵＥとｅＮＢとの間のバンドルされた送信が、サブフレーム０、１、および２を割り振られ得る。ＳＰＳ送信により、サブフレーム１は利用可能でない。したがって、ＵＥは、サブフレーム１のために割り振られた送信をドロップし得る。すなわち、ＭＴＣ  ＵＥは、サブフレーム０および２において送信するが、サブフレーム１において送信しない。さらに、ＭＴＣ  ＵＥは、ドロップされたサブフレームに基づいて、繰返しレベルを動的に低減し得る。たとえば、繰返しレベルが８であり、ＭＴＣ  ＵＥが２つのフレームをドロップする場合、ＭＴＣ  ＵＥは、次に（now）、６の繰返しを仮定する（assume）。
【００８７】
[00117]別の例では、ＭＴＣ  ＵＥは、送信のために割り振られたサブフレームが利用可能でないとき、送信全体をドロップし得る。たとえば、ＭＴＣ  ＵＥとｅＮＢとの間のバンドルされた送信が、サブフレーム０、１、および２を割り振られ得る。ＳＰＳ送信により、サブフレーム１は利用可能でない。したがって、ＭＣＴ  ＵＥは、送信全体をドロップし得る。すなわち、ＭＴＣ  ＵＥは、サブフレーム０、１、または２のいずれにおいても送信しない。
【００８８】
[00118]ＭＴＣ  ＵＥは、これらの異なるオプションの中から選択し得る。たとえば、ＭＴＣ  ＵＥは、送信のために割り振られた最初の（第１の）サブフレームが利用可能でないとき、送信全体をドロップすることを決定し得る。送信のために割り振られた後続のサブフレームが利用可能でない場合、ＭＴＣ  ＵＥは、利用不可能なサブフレームおよび後続のサブフレームのために割り振られた送信を延期し得る。代替的に、ＭＴＣ  ＵＥは、利用不可能なサブフレームのために割り振られた送信をドロップし得る。たとえば、ＭＴＣ  ＵＥとｅノードＢとの間のバンドルされた送信が、サブフレーム０、１、および２を割り振られ得る。サブフレーム１が利用可能でない場合、ＭＴＣ  ＵＥは、サブフレーム１中の送信をドロップし得る。サブフレーム０が利用可能でない場合、ＭＴＣ  ＵＥは、送信全体をドロップし得る。
【００８９】
[00119]別の例では、バンドルされない送信または小さいバンドル（たとえば、３つまたは５つのサブフレームよりも小さい）送信に関して、ＭＴＣは、これらの例のうちの１つを選択し得る。ＭＴＣ  ＵＥは、大きいバンドル（たとえば、４つのサブフレームよりも大きい）送信のために異なる例を選択し得る。
ＨＡＲＱ  ＩＤ決定
[00120]ＵＬ  ＨＡＲＱでは、特定のＭ−ＰＵＳＣＨに割り当てられたＨＡＲＱプロセスＩＤが、特定のＭ−ＰＵＳＣＨをスケジュールするＭ−ＰＤＣＣＨオケージョン（送信）に基づいて決定され得る。たとえば、ＭＴＣ  ＵＥが２つのＨＡＲＱプロセス（ＨＡＲＱプロセス０およびＨＡＲＱプロセス１）を有するとき、１つおきの（every other）Ｍ−ＰＤＣＣＨオケージョンがＨＡＲＱプロセス０またはＨＡＲＱプロセス１に関連し得る。Ｍ−ＰＤＣＣＨオケージョンが、サブフレーム０において開始する１０個のサブフレームごとに発生する場合、サブフレーム０〜９およびサブフレーム２０〜２９中のＭ−ＰＤＣＣＨによって許可されるＭ−ＰＵＳＣＨが、ＨＡＲＱプロセス０を使用する。サブフレーム１０〜１９およびサブフレーム３０〜３９中のＭ−ＰＤＣＣＨによって許可されるＭ−ＰＵＳＣＨが、ＨＡＲＱプロセス１を使用する。
【００９０】
[00121]さらに、ＭＴＣ  ＵＥがＭ−ＰＵＳＣＨ  ＳＰＳを用いて構成された後、ＭＴＣ  ＵＥは、ＳＰＳ期間中にＭ−ＰＤＣＣＨを受信しない。ＭＴＣ  ＵＥは、Ｍ−ＰＵＳＣＨをスケジュールしていることがある仮想Ｍ−ＰＤＣＣＨオケージョン（送信）を決定し得る。サブフレームＮにおいて開始するＭ−ＰＵＳＣＨでは、対応する仮想Ｍ−ＰＤＣＣＨオケージョンがサブフレームＮ−ｋにおいて開始するように決定され得、ここで、ｋはスケジューリングタイミング（たとえば、４つのサブフレーム）である。その後、ＵＥは、上記で説明されたように、特定のＭ−ＰＵＳＣＨに割り当てられたＨＡＲＱプロセスＩＤを決定するために、仮想Ｍ−ＰＤＣＣＨオケージョンを使用し得る。さらに、一例では、ＭＴＣ  ＵＥは、有効なサブフレームのみをカウントし得る。別の例では、ＭＴＣ  ＵＥは、すべてのサブフレームをカウントし得る。
【００９１】
[00122]代替的に、上記の技法は、特定のＭ−ＰＵＳＣＨのためのＨＡＲＱプロセスＩＤがＭ−ＰＵＳＣＨの開始点または終了点に基づいて決定されるように変更され得る。
【００９２】
[00123]図１０は、ワイヤレス通信の方法のフローチャート１０００である。本方法は、ＵＥ（たとえば、ＵＥ１０４、装置１７０２／１７０２’）によって実行され得る。１００２において、ＵＥは、ＤＲＸオン持続時間を決定する。たとえば、ＤＲＸオン持続時間は、ＵＥが、制御チャネルを監視し、ネットワークとのデータ転送を可能にするために受信機を電源投入する起動ウィンドウ（wake up windows）に関するＵＥとｅＮＢとの間の通信に基づいて決定され得る。
【００９３】
[00124]１００４において、ＵＥは、第１のバンドルされたＭ−ＰＤＣＣＨ候補を搬送するサブフレームのセットを決定し、サブフレームのセットは複数のサブフレームを含む。ｅＭＴＣでは、たとえば、チャネルは、時間領域において複数の繰返しを含めるためにバンドルされ得る。たとえば、Ｍ−ＰＤＣＣＨは、２つの連続するサブフレーム中で繰り返される２の繰返しレベル、４つの連続するサブフレーム中で繰り返される４の繰返しレベルなどを有し得る。たとえば、図４〜図６中のＭ−ＰＤＣＣＨ候補Ａ〜Ｇのいずれも、サブフレームのセットがＵＥによって決定され得る第１のＭ−ＰＤＣＣＨ候補の例である。
【００９４】
[00125]１００６において、ＵＥは、ＤＲＸオン持続時間がサブフレームのセットと少なくとも部分的に重複すると決定する。図４〜図６は、ＤＲＸオン持続時間と少なくとも部分的に重複するバンドルされたＭ−ＰＤＣＣＨ候補の例を示す。たとえば、図４では、ＵＥは、ＤＲＸオン持続時間４１０が、完全な候補Ａ４０２と重複し、候補Ｃ４０６と部分的に重複すると決定するであろう。図５および図６は、ＵＥによって決定され得るＤＲＸオン持続時間とＭ−ＰＤＣＣＨ候補との間の潜在的重複の他の例を示す。
【００９５】
[00126]ＵＥは、Ｍ−ＰＤＣＣＨの潜在的部分重複に対処するために、いくつかのアクションのいずれかを実行し得る。ＵＥは、１００８において、第１のバンドルされたＭ−ＰＤＣＣＨ候補を復号することを控える。これは、たとえば、ＵＥが、Ｍ−ＰＤＣＣＨ候補のサブフレームの少なくとも一部分がＤＲＸオン持続時間の外部にあると決定するときに生じることがある。
【００９６】
[00127]別のオプションとして、ＵＥは、１０１０において、第１のバンドルされたＭ−ＰＤＣＣＨ候補を復号し得る。ＵＥは、たとえば、Ｍ−ＰＤＣＣＨ候補が完全にＤＲＸオン持続時間内にあるかまたは第１のＭ−ＰＤＣＣＨ候補が少なくとも部分的にＤＲＸオン持続時間内にあるとき、第１のバンドルされたＭ−ＰＤＣＣＨ候補を復号し得る。第１のＭ−ＰＤＣＣＨ候補を復号すべきなのか、第１のＭ−ＰＤＣＣＨ候補を復号することを控えるべきなのかに関する決定は、たとえば、図１１および／または図１２に示されているように、ＵＥによる追加の決定に基づき得る。
【００９７】
[00128]第３のオプションとして、ＵＥは、１０１２において、サブフレームのセットを全体的に含めるためにＤＲＸオン持続時間を拡張し、次いで、１０１４において、拡張されたＤＲＸオン持続時間中のサブフレームのセット中で搬送される第１のバンドルされたＭ−ＰＤＣＣＨ候補を復号する。
【００９８】
[00129]図１１は、フローチャート１０００の方法の一部として実行され得る随意の（optional）追加の態様の例示的なフローチャート１１００を示す。ＵＥは、図１０の場合のように、１００２において、ＤＲＸオン持続時間を決定し、１００４において、第１のバンドルされたＭ−ＰＤＣＣＨ候補を搬送するサブフレームのセットを決定する。ＵＥが、１００６において、ＤＲＸオン持続時間がサブフレームのセットと少なくとも部分的に重複すると決定すると、ＵＥは、１１０２において、たとえば、バンドルされたＭ−ＰＤＣＣＨ候補のいずれかのサブフレームがＤＲＸオン持続時間の外部にあるかどうかを決定することによって、第１のバンドルされたＭ−ＰＤＤＣＨ候補の複数のサブフレームがフルにＤＲＸオン持続時間内にあるかどうかを決定し得る。ＵＥは、第１のバンドルされたＭ−ＰＤＣＣＨ候補の複数のサブフレームのすべてがＤＲＸオン持続時間内にある場合、図１０および図１１中の１０１０に示されているように、第１のバンドルされたＭ−ＰＤＤＣＨ候補を復号し得る。これに基づいて、ＵＥは、たとえば、フルにＤＲＸオン持続時間４１０内にある図４中の候補Ａを復号することを決定し得る。
【００９９】
[00130]第１のバンドルされたＭ−ＰＤＤＣＨ候補の複数のサブフレームのうちの少なくとも１つのサブフレームがＤＲＸオン持続時間の外部にある場合、ＵＥは、図１０および図１１に示されているように、１００８において、第１のバンドルされたＭ−ＰＤＣＣＨ候補を復号することを控える。したがって、ＵＥは、ＤＲＸオン持続時間４１０と部分的にのみ重複する、図４中の候補Ｃを復号することを控え得る。ＵＥはまた、完全にＤＲＸオン持続時間４１０の外部にある、図４中の候補Ｂを復号することを控え得る。１１０２における決定は、ＤＲＸオン持続時間を拡張することなしに行われ得る。
【０１００】
[00131]時々、複数のバンドルされたＭ−ＰＤＣＣＨ候補があり得る。ＵＥは、１１０４において、複数のバンドルされたＭ−ＰＤＣＣＨ候補のうちの１つを監視することを決定し得る。たとえば、ＵＥは、第１のバンドルされたＭ−ＰＤＣＣＨ候補を搬送するサブフレームのセットに加えて、第２のバンドルされたＭ−ＰＤＣＣＨ候補を搬送するサブフレームのセットを決定し得る。たとえば、図４〜図６は、複数のＭ−ＰＤＣＣＨ候補、たとえば、候補Ａ〜Ｇがあり得ることを示す。ＵＥは、ＤＲＸオン持続時間と第１のバンドルされたＭ−ＰＤＣＣＨ候補のサブフレームのセットとの間の重複に少なくとも基づいて、第１のバンドルされたＭ−ＰＤＣＣＨ候補を監視することを決定し得る。たとえば、ＵＥは、ＤＲＸオン持続時間内の各サブフレームを有するバンドルされたＭ−ＰＤＣＣＨ候補を選択し得る。したがって、図４では、ＵＥは、候補Ａが、ＤＲＸオン持続時間４１０内に各サブフレームを有するが（whereas）、候補Ｃが、ＤＲＸオン持続時間の外部にサブフレームを有するので、候補Ｃではなく候補Ａを復号することを選択し得る。決定が行われると、ＵＥは、１０１０において、選択されたＭ−ＰＤＣＣＨ候補を復号する。
【０１０１】
[00132]図１２は、フローチャート１０００の方法の一部として実行され得る随意の追加の態様の別の例示的なフローチャート１２００を示す。ＵＥは、図１０の場合のように、１００２において、ＤＲＸオン持続時間を決定し、１００４において、第１のバンドルされたＭ−ＰＤＣＣＨ候補を搬送するサブフレームのセットを決定する。ＵＥは、次いで、１００６において、ＤＲＸオン持続時間がサブフレームのセットと少なくとも部分的に重複すると決定し、ＵＥは、図１０に関して説明されたように、決定し得る。この例では、第１のバンドルされたＭ−ＰＤＤＣＨ候補のサブフレームは、部分的にＤＲＸオン持続時間の外部に入る。たとえば、ＵＥが、１００６において、ＤＲＸオン持続時間がサブフレームのセットと少なくとも部分的に重複すると決定すると、ＵＥは、１２０２において、第１のバンドルされたＭ−ＰＤＤＣＨ候補のサブフレームがＤＲＸオン持続時間内に開始するかどうかを決定し得る。ＵＥは、第１のバンドルされたＭ−ＰＤＤＣＨ候補のサブフレームがＤＲＸオン持続時間内に開始するとき、１０１０において、第１のバンドルされたＭ−ＰＤＤＣＨ候補を復号する。したがって、図４では、ＵＥは、候補ＣがＤＲＸオン４１０の外部のサブフレームを有するが、候補Ａと候補Ｃの両方がＤＲＸオン持続時間４１０内に開始するので、両方の候補を復号することを決定し得る。
【０１０２】
[00133]ＵＥは、サブフレームがＤＲＸオン持続時間内に開始しないとき、１２０４において、第１のバンドルされたＭ−ＰＤＣＣＨ候補を復号することを控え得る。たとえば、図５では、ＵＥは、候補Ａと候補Ｃの両方のサブフレームがＤＲＸオン５１０の外部にあり、いずれの候補もＤＲＸオン５１０内に開始しないと決定し得る。したがって、ＵＥは、候補Ａと候補Ｃの両方を復号することを控え得る。
【０１０３】
[00134]別の例では、ＵＥは、１２０６において、第１のバンドルされたＭ−ＰＤＤＣＨ候補のサブフレームがＤＲＸオン持続時間内に終了するかどうかを決定し得る。ＵＥは、第１のバンドルされたＭ−ＰＤＤＣＨ候補のサブフレームがＤＲＸオン持続時間内に終了するとき、１０１０において、第１のバンドルされたＭ−ＰＤＤＣＨ候補を復号し得る。ＵＥは、サブフレームがＤＲＸオン持続時間内に終了しないとき、１２０４において、第１のバンドルされたＭ−ＰＤＣＣＨ候補を復号することを控え得る。この例によれば、ＵＥは、図５中の候補ＡがＤＲＸオン５１０内に終了するので、候補Ａのサブフレーム５２２がＤＲＸオン５１０の外部にあるが、候補Ａを復号することを決定し得る。ＵＥは、図５中の候補ＣがＤＲＸオン持続時間５１０の後に終了するので、候補Ｃを復号することを控え得る。
【０１０４】
[00135]別の例では、たとえば、１２０８において、ＵＥは、第１のバンドルされたＭ−ＰＤＤＣＨ候補のサブフレームのうちのいずれかがＤＲＸオン持続時間内にあるとき、第１のバンドルされたＭ−ＰＤＤＣＨ候補を復号し得る。この例では、ＵＥは、図４および図５中の候補Ａと候補Ｃの両方が、ＤＲＸオン４１０、５１０と重複する少なくとも１つのサブフレームを有するので、両方の候補を復号することを決定し得る。図６では、ＵＥは、候補Ａ、候補Ｃ、および候補Ｄを復号すると同時に（while）、候補Ｅを復号することを控えることを決定し得る。
【０１０５】
[00136]時々、複数の（multiple）候補は、ＤＲＸオンサイクルと部分的に重複し得る。したがって、１２１０において、ＵＥは、第２のバンドルされたＭ−ＰＤＣＣＨ候補を搬送するサブフレームのセットを決定し、ここにおいて、第１のバンドルされたＭ−ＰＤＣＣＨ候補のサブフレームは、部分的にＤＲＸオン持続時間の外部にあり、第２のバンドルされたＭ−ＰＤＣＣＨ候補のサブフレームは、部分的にＤＲＸオン持続時間の外部にある。ＵＥは、次いで、１２１２において、ＤＲＸオン持続時間と、第１のバンドルされたＭ−ＰＤＣＣＨ候補および第２のバンドルされたＭ−ＰＤＣＣＨ候補のサブフレームとの間の重複に基づいて、どのバンドルされたＭ−ＰＤＣＣＨ候補を監視すべきかを決定する。１２１４において、ＵＥは、決定に基づいて、第１のバンドルされたＭ−ＰＤＣＣＨ候補および第２のバンドルされたＭ−ＰＤＣＣＨ候補のうちの１つを復号する。たとえば、ＵＥは、図４および図５中の候補Ａを復号することと候補Ｃを復号することとの間で（between decoding Candidate A and Candidate C）選択し得る。ＵＥは、図６中の候補Ａを復号することと候補Ｃを復号することと候補Ｄを復号することとの間で選択し得る。決定は、ＤＲＸオン持続時間と候補の各々のサブフレームとの間の重複の量に基づき得る。
【０１０６】
[00137]図１３は、ワイヤレス通信の方法のフローチャート１３００である。本方法は、ＵＥ（たとえば、ＵＥ１０４、装置１７０２／１７０２’）によって実行され得る。１３０２において、ＵＥは、ＵＥによって監視されるバンドルされたＭ−ＰＤＣＣＨ候補のパラメータを決定する。１３０８において示されているように、ＤＲＸ構成パラメータの決定の一部として、ＵＥは、ＵＥによって監視される複数のバンドルされたＭ−ＰＤＣＣＨ候補の各々のための繰返しレベルを決定し得る。この情報は、たとえば、ｅＮＢから受信され得る。
【０１０７】
[00138]１３０４において、ＵＥは、ＵＥのＤＲＸ構成に関連する指示を受信する。指示は、ＵＥがＰＤＣＣＨを監視すべきであるサブフレームの数（a number of subframes）を備え得る。この指示するは、ＰＤＣＣＨを送信することになるｅＮＢから受信され得る。
【０１０８】
[00139]１３０６において、ＵＥは、ＤＲＸ構成パラメータを決定し、ＤＲＸ構成パラメータは、Ｍ−ＰＤＣＣＨ候補のパラメータと指示との関数である。ＵＥは、１３１０において、複数のバンドルされたＭ−ＰＤＣＣＨ候補についての最大繰返しレベルと指示との関数としてＤＲＸオン持続時間を決定し得る。たとえば、ＵＥが、繰返しレベルがＲ＝｛２，４，８｝であるというバンドルされたＭ−ＰＤＣＣＨパラメータを受信する場合、およびＵＥがＰＤＣＣＨを監視すべきであるサブフレームの数が、ｐｓｆ３、たとえば、３つのサブフレームであるとして示される場合、ＵＥは、ＤＲＸオン持続時間を、最大繰返しレベル、すなわち、８、および監視されるべきサブフレームの示された（indicated）数、たとえば、３の関数として決定する。関数は、たとえば、以下であり得る
[00140]ＤＲＸ持続時間＝最大（maximum）繰返し数＊ＰＳＦ＝２４個のサブフレーム  [00141]この例では、ＤＲＸ持続時間は、２４個のサブフレームであると決定され得、最大（largest）繰返しレベルの３つの候補を復号するための十分な受信時間を与え得る。
【０１０９】
[00142]図１４は、ＭＴＣ  ＵＥのためのＤＲＸサイクルおよびＣＳＩ基準サブフレームの構成を示すワイヤレス通信の方法のフローチャート１４００である。本方法は、ＵＥ（たとえば、ＵＥ１０４、装置１７０２／１７０２’）によって実行され得る。時々、ＵＥは、特定のサブフレームにおいてＣＳＩフィードバックを与える必要があり得るが、基準サブフレームは、ＤＲＸオン持続時間の外部に位置し得る。
【０１１０】
[00143]１４０２において、ＵＥは、ＤＲＸオン持続時間を決定する。この決定は、ＵＥがｅＮＢからの通信を受信するためにそれの受信機をオンにするためのウィンドウに関する、ｅＮＢとの通信に基づき得る。１４０４において、ＵＥは、ＣＳＩフィードバックを生成するための基準サブフレームのグループを決定し、基準サブフレームのグループは、２つまたはそれ以上のサブフレームを含む。この決定は、ＣＳＩフィードバックのためのサブフレームに関する、ｅＮＢから受信される情報に基づき得る。
【０１１１】
[00144]１４０６において、ＵＥは、ＤＲＸオン持続時間が基準サブフレームのグループと部分的に重複すると決定する。図９は、ＤＲＸオン９１４と部分的に重複し、ＤＲＸオフ９１２とも部分的に重複する、対応する基準サブフレームの例を示す。ＵＥは、基準サブフレームの部分重複に対処するために、いくつかのアクションのうちのいずれかを実行し得る。
【０１１２】
[00145]１４０８において、ＵＥは、ＤＲＸオン持続時間を調整することを決定し、それを、ＤＲＸオン持続時間の外部に入る任意の基準サブフレームを含めるために拡張する。したがって、ＵＥは、ＤＲＸオンの外部で基準サブフレームを受信するために、ＤＲＸオン持続時間の外部に起動し（wake up outside）得る。図９では、ＵＥは、対応する基準サブフレームのサブフレーム９４２、９４４を受信するために、ＤＲＸオフ９１２中に早期に起動し得る。この例は、ＤＲＸオンの前に開始するサブフレームを示すが、ＵＥは、基準サブフレームが、代わりに、ＤＲＸオンが終了した後に続くとき、ＤＲＸオン期間の終了時に、それの受信機を同様にオンに維持し得る。
【０１１３】
[00146]ＤＲＸサイクルが十分に短い場合、ＵＥは、代わりに、たとえば、１４１０において、前の基準サブフレームを使用し得る。たとえば、図９中の第２の例では、ＵＥは、ＣＳＩ測定を行うために、ＤＲＸオン９１４中の９４６、９４８と組み合わせて前のＤＲＸオン持続時間９１０からのサブフレーム９３６、９３８を使用し得る。
【０１１４】
[00147]１４１２において、ＵＥは、代わりに、ＣＳＩ測定を行うために、ＤＲＸオンサイクル内にある基準サブフレームの一部のみを使用し得る。図９は、これを第３の例として示し、ここで、ＵＥは、ＤＲＸオン９１４中にＣＳＩ測定を行うために、サブフレーム９４６および９４８のみを使用し得る。
【０１１５】
[00148]１４１４において、ＵＥは、ＣＳＩを送信することを控え得る。たとえば、重複がないかまたは部分重複のみがあるとき、ＵＥは、ＣＳＩ測定を送信することを控え得る。したがって、ＵＥは、基準サブフレーム９４２および９４４がＤＲＸオフ９１２中にあるので、ＣＳＩ測定を送信することを控え得る。ＵＥは、ＤＲＸオン持続時間の外部にあるＣＳＩ基準サブフレームの割合がしきい値を越えるとき、ＣＳＩを送ることを控え得る。ＤＲＸ持続時間内の基準サブフレームの割合がしきい値内にある場合、ＵＥは、たとえば、１４１２の場合のように、重複する基準サブフレームを使用して、ＣＳＩを送信することを決定し得る。
【０１１６】
[00149]ＵＥが、１４０８、１４１０、１４１２、および１４１４のうちの１つを実行すると、ＵＥは、１４０８、１４１０、１４１２、または１４１４において決定される基準サブフレームを使用してＣＳＩ測定を実行し得、ＣＳＩ測定に関する情報をｅＮＢに送信し得る。
【０１１７】
[00150]図１５は、ワイヤレス通信の方法のフローチャート１５００である。本方法は、ＵＥ（たとえば、ＵＥ１０４、装置１７０２／１７０２’）によって実行され得る。１５０２において、ＵＥは、サブフレームのセットについてＳＰＳ許可を受信し、サブフレームのセットは利用不可能なサブフレームを含む。ＵＥは、ｅＮＢからＳＰＳアクティブ化許可を受信し得る。いくつかのサブフレームは、送信および／または受信のために使用するためにＵＥにとって利用可能でない無効なサブフレームであり得る。
【０１１８】
[00151]１５０４において、ＵＥは、それがＳＰＳ許可を受信したサブフレームのセット中の利用可能なサブフレームのサブセットを決定し得る。たとえば、ＳＰＳ許可を受信した後に、ＵＥは、ＳＰＳ許可内のどのサブフレームが、無効または利用不可能であるかを考慮し得る。
【０１１９】
[00152]１５０６において、ＵＥは、利用可能なサブフレームのサブセットに基づいて、サブフレームのセット中に受信または送信を調整し得る。ＵＥは、ＳＰＳ許可内の無効なサブフレームに対処するために、いくつかのアクションのうちのいずれか、たとえば、１５０８、１５１０、または１５１２のうちのいずれかを実行し得る。一例では、１５０８において受信または送信を調整することの一部として、ＵＥは、１５０８において、利用不可能なサブフレームのためにおよび利用不可能なサブフレームの後のサブフレームのセットのいずれかのサブフレームのためにスケジュールされたバンドルされた送信を延期し得る。
【０１２０】
[00153]別の例では、１５０６において受信または送信を調整することの一部として、ＵＥは、１５１０において、利用不可能なサブフレームのためにスケジュールされたバンドルされた送信をドロップし得る。
【０１２１】
[00154]別の例では、１５０６において受信または送信を調整することの一部として、ＵＥは、１５１２において、利用不可能なサブフレーム中に送信することを含むスケジュールされた送信をドロップし得る。
【０１２２】
[00155]１５１４において、ＵＥは、採用されるバンドリングの量に基づいて、サブフレームのセット中に受信または送信を調整するためのオプションを選択し、オプションは、１５０８、１５１０、または１５１２のうちの少なくとも１つを備える。したがって、ＵＥは、採用されるバンドリングの量に基づいて、１５０８を実行することと、１５１０を実行することと、１５１２を実行することとの間で選択し得る。
【０１２３】
[00156]たとえば、ＵＥは、サブフレームが第１のサブフレームであるとき、１５１０において、利用不可能なサブフレーム中に送信することを含むスケジュールされた送信をドロップし得、利用不可能なサブフレームが第１のサブフレームの後に（after）あるとき、１５０８において、利用不可能なサブフレームのためにおよび利用不可能なサブフレームの後の（that is subsequent to）サブフレームのセットのいずれかのサブフレームのためにスケジュールされたバンドルされた送信を延期し得る。したがって、ＵＥは、１５１４においてオプションを選択することの一部として、１５１６において、利用不可能なＳＦが第１のサブフレームであるかどうかを決定し得る。
【０１２４】
[00157]図１６は、ワイヤレス通信の方法のフローチャート１６００である。本方法は、ＵＥ（たとえば、ＵＥ１０４、装置１７０２／１７０２’）によって実行され得る。ＵＥはＭＴＣ  ＵＥであり得る。１６０２において、ＵＥは、たとえば、ｅＮＢから、ＳＰＳ構成を受信する。ＳＰＳ構成は、いつＵＥがｅＮＢとの通信を送信または受信すべきかを示す。ＭＴＣ  ＵＥがＭ−ＰＵＳＣＨ  ＳＰＳを用いて構成されたとき、ＭＴＣ  ＵＥは、構成されたＳＰＳ期間中にＭ−ＰＤＣＣＨを受信しない。
【０１２５】
[00158]１６０４において、ＵＥは、ＳＰＳ構成に従ってＨＡＲＱ送信を決定し得る。１６０６において、ＵＥは、ＳＰＳ構成より、ＨＡＲＱ送信をスケジュールするために省略されるＭ−ＰＤＣＣＨ送信を決定する。これは、Ｍ−ＰＵＳＣＨをスケジュールしていることがある仮想Ｍ−ＰＤＣＣＨ送信と見なされ得る。たとえば、サブフレームＮにおいて開始するＭ−ＰＵＳＣＨでは、ＵＥは、省略されたＭ−ＰＤＣＣＨオケージョンをサブフレームＮ＋ｋにおいて開始するように決定し得、ｋはスケジューリングタイミングである。１６０８において、ＵＥは、省略されたＭ−ＰＤＣＣＨ送信に基づいてＨＡＲＱプロセスを決定する。たとえば、ＵＥは、省略されたＭ−ＰＤＣＣＨオケージョンに基づいて、特定のＭ−ＰＵＳＣＨに割り当てられたＨＡＲＱプロセスＩＤを決定し得る。一例として、２つのＨＡＲＱプロセスを有するＭＴＣ  ＵＥは、２つのＨＡＲＱプロセスのうちの１つに関連する１つおきのＭ−ＰＤＣＣＨオケージョンを有するであろう。
【０１２６】
[00159]１６１０において、ＵＥは、決定されたＨＡＲＱプロセスに基づいてＨＡＲＱ送信を送信する。
【０１２７】
[00160]図１７は、例示的な装置１７０２中の異なる手段／構成要素間のデータフローを示す概念データフロー図１７００である。本装置はＵＥであり得る。本装置は、ｅＮＢ１７５０から、たとえば、バンドルされたＭ−ＰＤＣＣＨ候補、ＤＲＸ構成パラメータ、ＣＳＩ基準信号などを含む、ＤＬ通信を受信する受信構成要素１７０４を含む。本装置は、ＣＳＩ測定などを含むＵＬ通信をｅＮＢ１７５０に送信する送信構成要素１７０６を備える。本装置は、ＤＲＸパラメータを決定し、部分的に重複するＭ−ＰＤＣＣＨサブフレームを扱う、ＤＲＸ構成要素１７０８を含み得る。ＤＲＸ構成要素１７０８は、ＤＲＸオン持続時間を決定するＤＲＸオン持続時間構成要素１７１０と、バンドルされたＭ−ＰＤＣＣＨ候補を搬送するサブフレームのセットを決定するＭ−ＰＤＣＣＨサブフレーム構成要素１７１２と、ＤＲＸオン持続時間のサブフレームとバンドルされたＭ−ＰＤＣＣＨ候補のサブフレームとの間の重複を決定する重複構成要素１７１４とを含み得る。ＤＲＸ構成要素１７０８は、バンドルされたＭ−ＰＤＣＣＨ候補を復号すべきかどうか、またはバンドルされたＭ−ＰＤＣＣＨ候補を復号することを控えるべきかどうかを決定する復号決定構成要素１７１６をさらに含み得る。ＤＲＸ構成要素は、サブフレームのセットを全体的に含めるためにＤＲＸオン持続時間を拡張するＤＲＸオン拡張構成要素１７１８を含み得る。装置１７０２は、たとえば、復号決定構成要素１７１６による決定に基づいて、またはＤＲＸオン拡張構成要素１７１８によるＤＲＸオン持続時間の拡張に基づいて、バンドルされたＭ−ＰＤＣＣＨ候補を復号するように構成された復号構成要素１７３４を含み得る。
【０１２８】
[00161]ＤＲＸオン構成要素１７０８は、ＵＥによって監視されるバンドルされたＭ−ＰＤＣＣＨ候補のパラメータを決定するＭ−ＰＤＣＣＨパラメータ構成要素１７２０と、本装置のＤＲＸ構成に関連する指示を受信するＤＲＸ指示構成要素１７２２と、ＤＲＸ構成パラメータを決定するＤＲＸ構成構成要素１７２４とをさらに含み得、ＤＲＸ構成パラメータは、Ｍ−ＰＤＣＣＨ候補のパラメータと指示との関数である。
【０１２９】
[00162]本装置は、ＳＰＳ許可内の利用不可能なサブフレームを扱うＳＰＳ構成要素１７２６を含み得る。ＳＰＳ構成要素１７２６は、サブフレームのセットについてＳＰＳ許可を受信し得る。ＳＰＳ構成要素１７２６は、ＳＰＳ許可のサブフレームのうちのいくつかが利用不可能であり得るので、サブフレームのセット中の利用可能なサブフレームのサブセットを決定する利用可能サブフレーム構成要素１７２８を含み得る。ＳＰＳ構成要素１７２６はまた、利用可能なサブフレーム構成要素１７２８によって決定された利用可能なサブフレームのサブセットに基づいて、サブフレームのセット中に受信または送信を調整する調整構成要素１７３０を含み得る。
【０１３０】
[00163]本装置は、図１４を参照しながら説明されたアルゴリズムを実行するように構成されたＣＳＩ構成要素１７３２をも含み得る。
【０１３１】
[00164]本装置は、図１０〜図１６の上述のフローチャート中のアルゴリズムのブロックの各々を実行する追加の構成要素を含み得る。したがって、図１０〜図１６の上述のフローチャート中の各ブロックは、１つの構成要素によって実行され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１３２】
[00165]図１８は、処理システム１８１４を採用する装置１７０２’のためのハードウェア実装形態の一例を示す図１８００である。処理システム１８１４は、バス１８２４によって概略的に表されるバスアーキテクチャを用いて実装され得る。バス１８２４は、処理システム１８１４の特定の適用例および全体的な設計制約に応じて、任意の数の相互接続バスおよびブリッジを含み得る。バス１８２４は、プロセッサ１８０４によって表される１つまたは複数のプロセッサおよび／またはハードウェア構成要素と、構成要素１７０４〜１７３４と、コンピュータ可読媒体／メモリ１８０６とを含む様々な回路を互いにリンクする。構成要素１７０４、１７０６、１７０８、１７２６および１７３２のみが図１８に示されているが、構成要素１７０４〜１７３４のうちのいずれも装置１７０２’中に含まれ得る。バス１８２４はまた、タイミングソース、周辺機器、電圧調節器、および電力管理回路など、様々な他の回路をリンクし得るが、これらの回路は当技術分野においてよく知られており、したがって、これ以上説明されない。
【０１３３】
[00166]処理システム１８１４はトランシーバ１８１０に結合され得る。トランシーバ１８１０は１つまたは複数のアンテナ１８２０に結合される。トランシーバ１８１０は、伝送媒体を介して様々な他の装置と通信するための手段を与える。トランシーバ１８１０は、１つまたは複数のアンテナ１８２０から信号を受信し、受信された信号から情報を抽出し、抽出された情報を処理システム１８１４、特に受信構成要素１７０４に与える。さらに、トランシーバ１８１０は、処理システム１８１４、特に送信構成要素１７０６から情報を受信し、受信された情報に基づいて、１つまたは複数のアンテナ１８２０に適用されるべき信号を生成する。処理システム１８１４は、コンピュータ可読媒体／メモリ１８０６に結合されたプロセッサ１８０４を含む。プロセッサ１８０４は、コンピュータ可読媒体／メモリ１８０６に記憶されたソフトウェアの実行を含む一般的な処理を担当する。ソフトウェアは、プロセッサ１８０４によって実行されたとき、処理システム１８１４に、特定の装置のための上記で説明された様々な機能を実行させる。コンピュータ可読媒体／メモリ１８０６はまた、ソフトウェアを実行するときにプロセッサ１８０４によって操作されるデータを記憶するために使用され得る。処理システム１８１４は、構成要素１７０４〜１７３４のうちの少なくとも１つをさらに含む。それらの構成要素は、プロセッサ１８０４中で動作し、コンピュータ可読媒体／メモリ１８０６中に存在する／記憶されたソフトウェア構成要素であるか、プロセッサ１８０４に結合された１つまたは複数のハードウェア構成要素であるか、またはそれらの何らかの組合せであり得る。処理システム１８１４は、ＵＥ３５０の構成要素であり得、メモリ３６０および／またはＴＸプロセッサ３６８と、ＲＸプロセッサ３５６と、コントローラ／プロセッサ３５９とのうちの少なくとも１つを含み得る。
【０１３４】
[00167]一構成では、ワイヤレス通信のための装置１７０２／１７０２’は、ＤＲＸオン持続時間を決定するための手段と、バンドルされたＭ−ＰＤＣＣＨ候補を搬送するサブフレームのセットを決定するための手段と、ＤＲＸオン持続時間とＭ−ＰＤＣＣＨ候補のサブフレームとの間の重複を決定するための手段と、復号することを控えるための手段と、復号するための手段と、ＤＲＸオン持続時間を拡張するための手段と、監視すべきバンドルされたＭ−ＰＤＣＣＨ候補を決定するための手段と、バンドルされたＭ−ＰＤＣＣＨ候補のパラメータを決定するための手段と、ＵＥのＤＲＸ構成に関連する指示を受信するための手段と、ＤＲＸ構成パラメータを決定するための手段と、ＳＰＳ許可を受信するための手段と、利用可能なサブフレームのサブセットを決定するための手段と、受信または送信を調整するための手段とのうちのいずれかを含む。上述の手段は、上述の手段によって具陳された機能を実行するように構成された、装置１７０２、および／または装置１７０２’の処理システム１８１４の上述の構成要素のうちの１つまたは複数であり得る。上記で説明されたように、処理システム１８１４は、ＴＸプロセッサ３６８と、ＲＸプロセッサ３５６と、コントローラ／プロセッサ３５９とを含み得る。したがって、一構成では、上述の手段は、上述の手段によって具陳された機能を実行するように構成された、ＴＸプロセッサ３６８と、ＲＸプロセッサ３５６と、コントローラ／プロセッサ３５９とであり得る。
【０１３５】
[00168]開示されるプロセス／フローチャート中のブロックの特定の順序または階層は、例示的な手法の一例であることを理解されたい。設計選好に基づいて、プロセス／フローチャート中のブロックの特定の順序または階層は再構成され得ることを理解されたい。さらに、いくつかのブロックは組み合わせられるかまたは省略され得る。添付の方法クレームは、様々なブロックの要素を例示的な順序で提示したものであり、提示された特定の順序または階層に限定されるものではない。
【０１３６】
[00169]以上の説明は、当業者が本明細書で説明された様々な態様を実施できるようにするために与えられた。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。「モジュール」、「機構」、「要素」、「デバイス」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
以下に、本願出願の当初の特許請求の範囲に記載された発明を付記する。
書類名］特許請求の範囲
［Ｃ１］
ユーザ機器（ＵＥ）におけるワイヤレス通信の方法であって、
間欠受信（ＤＲＸ）オン持続時間を決定することと、
第１のバンドルされたＭＴＣ物理ダウンリンク制御チャネル（Ｍ−ＰＤＣＣＨ）候補を搬送するサブフレームのセットを決定することと、サブフレームの前記セットが複数のサブフレームを含む、
前記ＤＲＸオン持続時間がサブフレームの前記セットと少なくとも部分的に重複すると決定することと、
（ａ）前記第１のバンドルされたＭ−ＰＤＣＣＨ候補を復号することを控えること、  （ｂ）前記第１のバンドルされたＭ−ＰＤＣＣＨ候補を復号すること、または
（ｃ）サブフレームの前記セットを全体的に含めるために前記ＤＲＸオン持続時間を拡張すること、および前記拡張されたＤＲＸオン持続時間中のサブフレームの前記セット中で搬送される前記第１のバンドルされたＭ−ＰＤＣＣＨ候補を復号すること
のうちの１つを実行することと
を備える、方法。
［Ｃ２］
前記第１のバンドルされたＭ−ＰＤＤＣＨ候補の前記複数のサブフレームが前記ＤＲＸオン持続時間内にあるかどうかを決定すること
をさらに備える、［Ｃ１］に記載の方法。
［Ｃ３］
前記第１のバンドルされたＭ−ＰＤＣＣＨ候補の前記複数のサブフレームのすべてが前記ＤＲＸオン持続時間内にある場合、前記第１のバンドルされたＭ−ＰＤＤＣＨ候補を復号することと、
前記第１のバンドルされたＭ−ＰＤＤＣＨ候補の前記複数のサブフレームのうちの少なくとも１つのサブフレームが前記ＤＲＸオン持続時間の外部にある場合、前記第１のバンドルされたＭ−ＰＤＤＣＨ候補を復号することを控えることと
をさらに備える、［Ｃ２］に記載の方法。
［Ｃ４］
前記第１のバンドルされたＭ−ＰＤＣＣＨ候補の前記複数のサブフレームが前記ＤＲＸオン持続時間内にあるかどうかの前記決定が、前記ＤＲＸオン持続時間を拡張することなしに行われる、［Ｃ２］に記載の方法。
［Ｃ５］
前記第１のバンドルされたＭ−ＰＤＣＣＨ候補と第２のバンドルされたＭ−ＰＤＣＣＨとを含む、複数のバンドルされたＭ−ＰＤＣＣＨ候補を搬送するサブフレームのセットを決定することと、
前記ＤＲＸオン持続時間と前記第１のバンドルされたＭ−ＰＤＣＣＨ候補の前記サブフレームとの間の重複に少なくとも基づいて、前記第１のバンドルされたＭ−ＰＤＣＣＨ候補を監視することを決定することと
をさらに備える、［Ｃ１］に記載の方法。
［Ｃ６］
複数のバンドルされたＭ−ＰＤＣＣＨ候補のうちの１つを監視することを決定すること、前記１つのバンドルされたＭ−ＰＤＣＣＨ候補が前記ＤＲＸオン持続時間内に各サブフレームを有する、
をさらに備える、［Ｃ１］に記載の方法。
［Ｃ７］
前記第１のバンドルされたＭ−ＰＤＤＣＨ候補の前記サブフレームが、部分的に前記ＤＲＸオン持続時間の外部に入り、前記方法は、
前記第１のバンドルされたＭ−ＰＤＤＣＨ候補の前記サブフレームが前記ＤＲＸオン持続時間内に開始するとき、前記第１のバンドルされたＭ−ＰＤＤＣＨ候補を復号することをさらに備える、［Ｃ１］に記載の方法。
［Ｃ８］
前記第１のバンドルされたＭ−ＰＤＤＣＨ候補の前記サブフレームが、部分的に前記ＤＲＸオン持続時間の外部に入り、前記方法は、
前記第１のバンドルされたＭ−ＰＤＤＣＨ候補の前記サブフレームが前記ＤＲＸオン持続時間内に終了するとき、前記第１のバンドルされたＭ−ＰＤＤＣＨ候補を復号することをさらに備える、［Ｃ１］に記載の方法。
［Ｃ９］
前記第１のバンドルされたＭ−ＰＤＤＣＨ候補の前記サブフレームが、部分的に前記ＤＲＸオン持続時間の外部に入り、前記方法は、
前記第１のバンドルされたＭ−ＰＤＤＣＨ候補の前記サブフレームのうちのいずれかが前記ＤＲＸオン持続時間内にあるとき、前記第１のバンドルされたＭ−ＰＤＤＣＨ候補を復号すること
をさらに備える、［Ｃ１］に記載の方法。
［Ｃ１０］
第２のバンドルされたＭ−ＰＤＣＣＨ候補を搬送するサブフレームのセットを決定すること、ここにおいて、前記第１のバンドルされたＭ−ＰＤＣＣＨ候補の前記サブフレームが、部分的に前記ＤＲＸオン持続時間の外部にあり、前記第２のバンドルされたＭ−ＰＤＣＣＨ候補の前記サブフレームが、部分的に前記ＤＲＸオン持続時間の外部にある、
前記ＤＲＸオン持続時間と、前記第１のバンドルされたＭ−ＰＤＣＣＨ候補および前記第２のバンドルされたＭ−ＰＤＣＣＨ候補の前記サブフレームとの間の重複に基づいて、どのバンドルされたＭ−ＰＤＣＣＨ候補を監視すべきかを決定することと、
前記決定に基づいて、前記第１のバンドルされたＭ−ＰＤＣＣＨ候補および前記第２のバンドルされたＭ−ＰＤＣＣＨ候補のうちの１つを復号することと
［Ｃ１］に記載の方法。
［Ｃ１１］
前記ＵＥが、サブフレームの前記セットを全体的に含めるように前記ＤＲＸオン持続時間を拡張し、前記拡張されたＤＲＸオン持続時間中のサブフレームの前記セット中で搬送される前記第１のバンドルされたＭ−ＰＤＣＣＨ候補を復号すること、［Ｃ１］に記載の方法。
［Ｃ１２］
ユーザ機器（ＵＥ）におけるワイヤレス通信のための装置であって、
間欠受信（ＤＲＸ）オン持続時間を決定するための手段と、
第１のバンドルされたＭＴＣ物理ダウンリンク制御チャネル（Ｍ−ＰＤＣＣＨ）候補を搬送するサブフレームのセットを決定するための手段と、サブフレームの前記セットが複数のサブフレームを含む、
前記ＤＲＸオン持続時間がサブフレームの前記セットと少なくとも部分的に重複すると決定するための手段と、
（ａ）前記第１のバンドルされたＭ−ＰＤＣＣＨ候補を復号することを控えること、  （ｂ）前記第１のバンドルされたＭ−ＰＤＣＣＨ候補を復号すること、または
（ｃ）サブフレームの前記セットを全体的に含めるために前記ＤＲＸオン持続時間を拡張すること、および前記拡張されたＤＲＸオン持続時間中のサブフレームの前記セット中で搬送される前記第１のバンドルされたＭ−ＰＤＣＣＨ候補を復号すること
のうちの１つを実行するための手段と
を備える、装置。
［Ｃ１３］
前記ＤＲＸオン持続時間がサブフレームの前記セットと少なくとも部分的に重複すると決定するための前記手段は、前記第１のバンドルされたＭ−ＰＤＤＣＨ候補の前記複数のサブフレームが前記ＤＲＸオン持続時間内にあるかどうかを決定する、［Ｃ１２］に記載の装置。
［Ｃ１４］
前記第１のバンドルされたＭ−ＰＤＣＣＨ候補の前記複数のサブフレームのすべてが前記ＤＲＸオン持続時間内にある場合、前記第１のバンドルされたＭ−ＰＤＤＣＨ候補を復号するための手段をさらに備え、ここにおいて、実行するための前記手段は、前記第１のバンドルされたＭ−ＰＤＤＣＨ候補の前記複数のサブフレームのうちの少なくとも１つのサブフレームが前記ＤＲＸオン持続時間の外部にある場合、前記第１のバンドルされたＭ−ＰＤＤＣＨ候補を復号することを控える、
［Ｃ１３］に記載の装置。
［Ｃ１５］
前記第１のバンドルされたＭ−ＰＤＣＣＨ候補の前記複数のサブフレームが前記ＤＲＸオン持続時間内にあるかどうかの前記決定が、前記ＤＲＸオン持続時間を拡張することなしに行われる、［Ｃ１３］に記載の装置。
［Ｃ１６］
サブフレームのセットを決定するための前記手段が、前記第１のバンドルされたＭ−ＰＤＣＣＨ候補と第２のバンドルされたＭ−ＰＤＣＣＨとを含む、複数のバンドルされたＭ−ＰＤＣＣＨ候補を搬送するサブフレームのセットを決定し、前記装置が、
前記ＤＲＸオン持続時間と前記第１のバンドルされたＭ−ＰＤＣＣＨ候補の前記サブフレームとの間の重複に少なくとも基づいて、前記第１のバンドルされたＭ−ＰＤＣＣＨ候補を監視することを決定するための手段
をさらに備える、［Ｃ１２］に記載の装置。
［Ｃ１７］
複数のバンドルされたＭ−ＰＤＣＣＨ候補のうちの１つを監視することを決定するための手段、前記１つのバンドルされたＭ−ＰＤＣＣＨ候補が前記ＤＲＸオン持続時間内に各サブフレームを有する、
をさらに備える、［Ｃ１２］に記載の装置。
［Ｃ１８］
ユーザ機器（ＵＥ）におけるワイヤレス通信のための装置であって、
メモリと、
前記メモリに結合された少なくとも１つのプロセッサと
を備え、前記少なくとも１つのプロセッサは、
間欠受信（ＤＲＸ）オン持続時間を決定することと、
第１のバンドルされたＭＴＣ物理ダウンリンク制御チャネル（Ｍ−ＰＤＣＣＨ）候補を搬送するサブフレームのセットを決定することと、サブフレームの前記セットが複数のサブフレームを含む、
前記ＤＲＸオン持続時間がサブフレームの前記セットと少なくとも部分的に重複すると決定することと、
（ａ）前記第１のバンドルされたＭ−ＰＤＣＣＨ候補を復号することを控えること、    （ｂ）前記第１のバンドルされたＭ−ＰＤＣＣＨ候補を復号すること、または
（ｃ）サブフレームの前記セットを全体的に含めるために前記ＤＲＸオン持続時間を拡張すること、および前記拡張されたＤＲＸオン持続時間中のサブフレームの前記セット中で搬送される前記第１のバンドルされたＭ−ＰＤＣＣＨ候補を復号すること
のうちの１つを実行することと
を行うように構成された、
装置。
［Ｃ１９］
前記少なくとも１つのプロセッサが、
前記第１のバンドルされたＭ−ＰＤＤＣＨ候補の前記複数のサブフレームが前記ＤＲＸオン持続時間内にあるかどうかを決定すること
を行うようにさらに構成された、［Ｃ１８］に記載の装置。
［Ｃ２０］
前記少なくとも１つのプロセッサが、
前記第１のバンドルされたＭ−ＰＤＣＣＨ候補の前記複数のサブフレームのすべてが前記ＤＲＸオン持続時間内にある場合、前記第１のバンドルされたＭ−ＰＤＤＣＨ候補を復号することと、
前記第１のバンドルされたＭ−ＰＤＤＣＨ候補の前記複数のサブフレームのうちの少なくとも１つのサブフレームが前記ＤＲＸオン持続時間の外部にある場合、前記第１のバンドルされたＭ−ＰＤＤＣＨ候補を復号することを控えることと
を行うようにさらに構成された、［Ｃ１９］に記載の装置。
［Ｃ２１］
前記第１のバンドルされたＭ−ＰＤＣＣＨ候補の前記複数のサブフレームが前記ＤＲＸオン持続時間内にあるかどうかの前記決定が、前記ＤＲＸオン持続時間を拡張することなしに行われる、［Ｃ１９］に記載の装置。
［Ｃ２２］
前記少なくとも１つのプロセッサが、
前記第１のバンドルされたＭ−ＰＤＣＣＨ候補と第２のバンドルされたＭ−ＰＤＣＣＨとを含む、複数のバンドルされたＭ−ＰＤＣＣＨ候補を搬送するサブフレームのセットを決定することと、
前記ＤＲＸオン持続時間と前記第１のバンドルされたＭ−ＰＤＣＣＨ候補の前記サブフレームとの間の重複に少なくとも基づいて、前記第１のバンドルされたＭ−ＰＤＣＣＨ候補を監視することを決定することと
を行うようにさらに構成された、［Ｃ１８］に記載の装置。
［Ｃ２３］
前記少なくとも１つのプロセッサが、
複数のバンドルされたＭ−ＰＤＣＣＨ候補のうちの１つを監視することを決定すること、前記１つのバンドルされたＭ−ＰＤＣＣＨ候補が前記ＤＲＸオン持続時間内に各サブフレームを有する、
を行うようにさらに構成された、［Ｃ１８］に記載の装置。
［Ｃ２４］
ユーザ機器（ＵＥ）におけるワイヤレス通信のためのコンピュータ実行可能コードを記憶するコンピュータ可読媒体であって、
間欠受信（ＤＲＸ）オン持続時間を決定することと、
第１のバンドルされたＭＴＣ物理ダウンリンク制御チャネル（Ｍ−ＰＤＣＣＨ）候補を搬送するサブフレームのセットを決定することと、サブフレームの前記セットが複数のサブフレームを含む、
前記ＤＲＸオン持続時間がサブフレームの前記セットと少なくとも部分的に重複すると決定することと、
（ａ）前記第１のバンドルされたＭ−ＰＤＣＣＨ候補を復号することを控えること、    （ｂ）前記第１のバンドルされたＭ−ＰＤＣＣＨ候補を復号すること、または
（ｃ）サブフレームの前記セットを全体的に含めるために前記ＤＲＸオン持続時間を拡張すること、および前記拡張されたＤＲＸオン持続時間中のサブフレームの前記セット中で搬送される前記第１のバンドルされたＭ−ＰＤＣＣＨ候補を復号すること
のうちの１つを実行することと
を行うためのコードを備える、コンピュータ可読媒体。
［Ｃ２５］
前記第１のバンドルされたＭ−ＰＤＤＣＨ候補の前記複数のサブフレームが前記ＤＲＸオン持続時間内にあるかどうかを決定すること
を行うためのコードをさらに備える、［Ｃ２４］に記載のコンピュータ可読媒体。
［Ｃ２６］
前記第１のバンドルされたＭ−ＰＤＣＣＨ候補の前記複数のサブフレームのすべてが前記ＤＲＸオン持続時間内にある場合、前記第１のバンドルされたＭ−ＰＤＤＣＨ候補を復号することと、
前記第１のバンドルされたＭ−ＰＤＤＣＨ候補の前記複数のサブフレームのうちの少なくとも１つのサブフレームが前記ＤＲＸオン持続時間の外部にある場合、前記第１のバンドルされたＭ−ＰＤＤＣＨ候補を復号することを控えることと
を行うためのコードをさらに備える、［Ｃ２５］に記載のコンピュータ可読媒体。
［Ｃ２７］
前記第１のバンドルされたＭ−ＰＤＣＣＨ候補の前記複数のサブフレームが前記ＤＲＸオン持続時間内にあるかどうかの前記決定が、前記ＤＲＸオン持続時間を拡張することなしに行われる、［Ｃ２５］に記載のコンピュータ可読媒体。
［Ｃ２８］
前記第１のバンドルされたＭ−ＰＤＣＣＨ候補と第２のバンドルされたＭ−ＰＤＣＣＨとを含む、複数のバンドルされたＭ−ＰＤＣＣＨ候補を搬送するサブフレームのセットを決定することと、
前記ＤＲＸオン持続時間と前記第１のバンドルされたＭ−ＰＤＣＣＨ候補の前記サブフレームとの間の重複に少なくとも基づいて、前記第１のバンドルされたＭ−ＰＤＣＣＨ候補を監視することを決定することと
を行うためのコードをさらに備える、［Ｃ２４］に記載のコンピュータ可読媒体。
［Ｃ２９］
複数のバンドルされたＭ−ＰＤＣＣＨ候補のうちの１つを監視することを決定すること、前記１つのバンドルされたＭ−ＰＤＣＣＨ候補が前記ＤＲＸオン持続時間内に各サブフレームを有する、
を行うためのコードをさらに備える、［Ｃ２４］に記載のコンピュータ可読媒体。
［Ｃ３０］
ユーザ機器（ＵＥ）におけるワイヤレス通信の方法であって、
前記ＵＥによって監視されるバンドルされたマシンタイプ通信（ＭＴＣ）物理ダウンリンク制御チャネル（Ｍ−ＰＤＣＣＨ）候補のパラメータを決定することと、
前記ＵＥの間欠受信（ＤＲＸ）構成に関連する指示を受信することと、
ＤＲＸ構成パラメータを決定することと、前記ＤＲＸ構成パラメータが、前記指示と前記Ｍ−ＰＤＣＣＨ候補の前記パラメータとの関数である、
を備える、方法。
［Ｃ３１］
前記バンドルされたＭ−ＰＤＣＣＨの前記パラメータが繰返しレベルを備える、［Ｃ３０］に記載の方法。
［Ｃ３２］
前記指示は、前記ＵＥがＰＤＣＣＨを監視すべきであるサブフレームの数を備える、［Ｃ３０］に記載の方法。
［Ｃ３３］
前記指示は、前記ＵＥがＰＤＣＣＨを監視すべきであるサブフレームの数を備え、前記方法が、
前記ＵＥによって監視される複数のバンドルされたＭ−ＰＤＣＣＨ候補の各々について繰返しレベルを決定することと、
前記複数のバンドルされたＭ−ＰＤＣＣＨ候補についての最大繰返しレベルと前記指示との関数としてＤＲＸオン持続時間を決定することと
をさらに備える、［Ｃ３０］に記載の方法。
［Ｃ３４］
ユーザ機器（ＵＥ）におけるワイヤレス通信のための装置であって、
前記ＵＥによって監視されるバンドルされたマシンタイプ通信（ＭＴＣ）物理ダウンリンク制御チャネル（Ｍ−ＰＤＣＣＨ）候補のパラメータを決定するための手段と、
前記ＵＥの間欠受信（ＤＲＸ）構成に関連する指示を受信するための手段と、
ＤＲＸ構成パラメータを決定するための手段と、前記ＤＲＸ構成パラメータが、前記指示と前記Ｍ−ＰＤＣＣＨ候補の前記パラメータとの関数である、
を備える、装置。
［Ｃ３５］
前記バンドルされたＭ−ＰＤＣＣＨの前記パラメータが繰返しレベルを備える、［Ｃ３４］に記載の装置。
［Ｃ３６］
前記指示は、前記ＵＥがＰＤＣＣＨを監視すべきであるサブフレームの数を備える、［Ｃ３４］に記載の装置。
［Ｃ３７］
前記指示は、前記ＵＥがＰＤＣＣＨを監視すべきであるサブフレームの数を備え、ここにおいて、前記パラメータを決定するための前記手段が、前記ＵＥによって監視される複数のバンドルされたＭ−ＰＤＣＣＨ候補の各々について繰返しレベルを決定し、ここにおいて、前記ＤＲＸ構成パラメータを決定するための前記手段が、前記複数のバンドルされたＭ−ＰＤＣＣＨ候補についての最大繰返しレベルと前記指示との関数としてＤＲＸオン持続時間を決定する、［Ｃ３４］に記載の装置。
［Ｃ３８］
ユーザ機器（ＵＥ）におけるワイヤレス通信のための装置であって、
メモリと、
前記メモリに結合された少なくとも１つのプロセッサと
を備え、前記少なくとも１つのプロセッサは、
前記ＵＥによって監視されるバンドルされたマシンタイプ通信（ＭＴＣ）物理ダウンリンク制御チャネル（Ｍ−ＰＤＣＣＨ）候補のパラメータを決定することと、
前記ＵＥの間欠受信（ＤＲＸ）構成に関連する指示を受信することと、
ＤＲＸ構成パラメータを決定することと、前記ＤＲＸ構成パラメータが、前記指示と前記Ｍ−ＰＤＣＣＨ候補の前記パラメータとの関数である、
を行うように構成された、
装置。
［Ｃ３９］
前記バンドルされたＭ−ＰＤＣＣＨの前記パラメータが繰返しレベルを備える、［Ｃ３８］に記載の装置。
［Ｃ４０］
前記指示は、前記ＵＥがＰＤＣＣＨを監視すべきであるサブフレームの数を備える、［Ｃ３８］に記載の装置。
［Ｃ４１］
前記指示は、前記ＵＥがＰＤＣＣＨを監視すべきであるサブフレームの数を備え、ここにおいて、前記パラメータを決定することが、前記ＵＥによって監視される複数のバンドルされたＭ−ＰＤＣＣＨ候補の各々について繰返しレベルを決定することを備え、ここにおいて、前記ＤＲＸ構成パラメータを決定することが、前記複数のバンドルされたＭ−ＰＤＣＣＨ候補についての最大繰返しレベルと前記指示との関数としてＤＲＸオン持続時間を決定することを備える、［Ｃ３８］に記載の装置。
［Ｃ４２］
ユーザ機器（ＵＥ）におけるワイヤレス通信のためのコンピュータ実行可能コードを記憶するコンピュータ可読媒体であって、
前記ＵＥによって監視されるバンドルされたマシンタイプ通信（ＭＴＣ）物理ダウンリンク制御チャネル（Ｍ−ＰＤＣＣＨ）候補のパラメータを決定することと、
前記ＵＥの間欠受信（ＤＲＸ）構成に関連する指示を受信することと、
ＤＲＸ構成パラメータを決定することと、前記ＤＲＸ構成パラメータが、前記指示と前記Ｍ−ＰＤＣＣＨ候補の前記パラメータとの関数である、
を行うためのコードを備える、コンピュータ可読媒体。
［Ｃ４３］
前記バンドルされたＭ−ＰＤＣＣＨの前記パラメータが繰返しレベルを備える、［Ｃ４２］に記載のコンピュータ可読媒体。
［Ｃ４４］
前記指示は、前記ＵＥがＰＤＣＣＨを監視すべきであるサブフレームの数を備える、［Ｃ４２］に記載のコンピュータ可読媒体。
［Ｃ４５］
前記指示は、前記ＵＥがＰＤＣＣＨを監視すべきであるサブフレームの数を備え、ここにおいて、前記パラメータを決定することが、前記ＵＥによって監視される複数のバンドルされたＭ−ＰＤＣＣＨ候補の各々について繰返しレベルを決定することを備え、ここにおいて、前記ＤＲＸ構成パラメータを決定することが、前記複数のバンドルされたＭ−ＰＤＣＣＨ候補についての最大繰返しレベルと前記指示との関数としてＤＲＸオン持続時間を決定することを備える、［Ｃ４２］に記載のコンピュータ可読媒体。
［Ｃ４６］
ユーザ機器（ＵＥ）におけるワイヤレス通信の方法であって、
サブフレームのセットについて半永続的スケジューリング（ＳＰＳ）許可を受信することと、サブフレームの前記セットが利用不可能なサブフレームを含む、
サブフレームの前記セット中の利用可能なサブフレームのサブセットを決定することと、
利用可能なサブフレームの前記サブセットに基づいて、サブフレームの前記セット中に受信または送信を調整することと
を備える、方法。
［Ｃ４７］
サブフレームの前記セット中に前記受信または送信を前記調整することが、前記利用不可能なサブフレームのためにおよび前記利用不可能なサブフレームの後のサブフレームの前記セットのいずれかのサブフレームのためにスケジュールされたバンドルされた送信を延期することをさらに備える、［Ｃ４６］に記載の方法。
［Ｃ４８］
サブフレームの前記セット中に前記受信または送信を前記調整することが、前記利用不可能なサブフレームのためにスケジュールされたバンドルされた送信をドロップすることをさらに備える、［Ｃ４６］に記載の方法。
［Ｃ４９］
サブフレームの前記セット中に前記受信または送信を前記調整することが、前記利用不可能なサブフレーム中に送信することを含むスケジュールされた送信をドロップすることをさらに備える、［Ｃ４６］に記載の方法。
［Ｃ５０］
サブフレームの前記セット中に前記受信または送信を前記調整することが、
前記サブフレームが第１のサブフレームであるとき、前記利用不可能なサブフレーム中に送信することを含むスケジュールされた送信をドロップすることと、
前記利用不可能なサブフレームが前記第１のサブフレームの後にあるとき、前記利用不可能なサブフレームのためにおよび前記利用不可能なサブフレームの後のサブフレームの前記セットのいずれかのサブフレームのためにスケジュールされたバンドルされた送信を延期することと
をさらに備える、［Ｃ４６］に記載の方法。
［Ｃ５１］
採用されるバンドリングの量に基づいて、サブフレームの前記セット中に前記受信または送信を調整するためのオプションを選択することをさらに備え、前記オプションが、    前記利用不可能なサブフレームのためにおよび前記利用不可能なサブフレームの後のサブフレームの前記セットのいずれかのサブフレームのためにスケジュールされたバンドルされた送信を延期することと、
前記利用不可能なサブフレームのためにスケジュールされたバンドルされた送信をドロップすることと、
前記利用不可能なサブフレーム中に送信することを含むスケジュールされた送信をドロップすることと
のうちの少なくとも１つを備える、
［Ｃ４６］に記載の方法。
［Ｃ５２］
ユーザ機器（ＵＥ）におけるワイヤレス通信のための装置であって、
サブフレームのセットについて半永続的スケジューリング（ＳＰＳ）許可を受信するための手段と、サブフレームの前記セットが利用不可能なサブフレームを含む、
サブフレームの前記セット中の利用可能なサブフレームのサブセットを決定するための手段と、
利用可能なサブフレームの前記サブセットに基づいて、サブフレームの前記セット中に受信または送信を調整するための手段と
を備える、装置。
［Ｃ５３］
サブフレームの前記セット中に前記受信または送信を調整するための前記手段が、前記利用不可能なサブフレームのためにおよび前記利用不可能なサブフレームの後のサブフレームの前記セットのいずれかのサブフレームのためにスケジュールされたバンドルされた送信を延期する、［Ｃ５２］に記載の装置。
［Ｃ５４］
サブフレームの前記セット中に前記受信または送信を調整するための前記手段が、前記利用不可能なサブフレームのためにスケジュールされたバンドルされた送信をドロップする、［Ｃ５２］に記載の装置。
［Ｃ５５］
サブフレームの前記セット中に前記受信または送信を調整するための前記手段が、前記利用不可能なサブフレーム中に送信することを含むスケジュールされた送信をドロップする、［Ｃ５２］に記載の装置。
［Ｃ５６］
ユーザ機器（ＵＥ）におけるワイヤレス通信のための装置であって、
メモリと、
前記メモリに結合された少なくとも１つのプロセッサと
を備え、前記少なくとも１つのプロセッサは、
サブフレームのセットについて半永続的スケジューリング（ＳＰＳ）許可を受信することと、サブフレームの前記セットが利用不可能なサブフレームを含む、
サブフレームの前記セット中の利用可能なサブフレームのサブセットを決定することと、
利用可能なサブフレームの前記サブセットに基づいて、サブフレームの前記セット中に受信または送信を調整することと
を行うように構成された、
装置。
［Ｃ５７］
サブフレームの前記セット中に前記受信または送信を調整することが、前記利用不可能なサブフレームのためにおよび前記利用不可能なサブフレームの後のサブフレームの前記セットのいずれかのサブフレームのためにスケジュールされたバンドルされた送信を延期することを備える、［Ｃ５６］に記載の装置。
［Ｃ５８］
サブフレームの前記セット中に前記受信または送信を調整することが、前記利用不可能なサブフレームのためにスケジュールされたバンドルされた送信をドロップすることを備える、［Ｃ５６］に記載の装置。
［Ｃ５９］
サブフレームの前記セット中に前記受信または送信を調整することが、前記利用不可能なサブフレーム中に送信することを含むスケジュールされた送信をドロップすることを備える、［Ｃ５６］に記載の装置。
［Ｃ６０］
ユーザ機器（ＵＥ）におけるワイヤレス通信のためのコンピュータ実行可能コードを記憶するコンピュータ可読媒体であって、
サブフレームのセットについて半永続的スケジューリング（ＳＰＳ）許可を受信することと、サブフレームの前記セットが利用不可能なサブフレームを含む、
サブフレームの前記セット中の利用可能なサブフレームのサブセットを決定することと、
利用可能なサブフレームの前記サブセットに基づいて、サブフレームの前記セット中に受信または送信を調整することと
を行うためのコードを備える、コンピュータ可読媒体。
［Ｃ６１］
サブフレームの前記セット中に前記受信または送信を調整することが、前記利用不可能なサブフレームのためにおよび前記利用不可能なサブフレームの後のサブフレームの前記セットのいずれかのサブフレームのためにスケジュールされたバンドルされた送信を延期することを備える、［Ｃ６０］に記載のコンピュータ可読媒体。
［Ｃ６２］
サブフレームの前記セット中に前記受信または送信を調整することが、前記利用不可能なサブフレームのためにスケジュールされたバンドルされた送信をドロップすることを備える、［Ｃ６０］に記載のコンピュータ可読媒体。
［Ｃ６３］
サブフレームの前記セット中に前記受信または送信を調整することが、前記利用不可能なサブフレーム中に送信することを含むスケジュールされた送信をドロップすることを備える、［Ｃ６０］に記載のコンピュータ可読媒体。
【図１】
2020109993.tif 000003
【図２Ａ】
2020109993.tif 000004
【図２Ｂ】
2020109993.tif 000005
【図２Ｃ】
2020109993.tif 000006
【図２Ｄ】
2020109993.tif 000007
【図３】
2020109993.tif 000008
【図４】
2020109993.tif 000009
【図５】
2020109993.tif 000010
【図６】
2020109993.tif 000011
【図７】
2020109993.tif 000012
【図８】
2020109993.tif 000013
【図９】
2020109993.tif 000014
【図１０】
2020109993.tif 000015
【図１１】
2020109993.tif 000016
【図１２】
2020109993.tif 000017
【図１３】
2020109993.tif 000018
【図１４】
2020109993.tif 000019
【図１５】
2020109993.tif 000020
【図１６】
2020109993.tif 000021
【図１７】
2020109993.tif 000022
【図１８】
2020109993.tif 000023
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
前記ＵＥによって監視される狭帯域物理ダウンリンク制御チャネル（ＰＤＣＣＨ）候補のパラメータを決定すること、前記パラメータは、前記狭帯域ＰＤＣＣＨ候補の繰り返しに関する、と、
前記ＵＥの間欠受信（ＤＲＸ）構成に関連する指示を受信することと、
ＤＲＸ構成パラメータを決定すること、前記ＤＲＸ構成パラメータが、前記指示と前記狭帯域ＰＤＣＣＨ候補の前記パラメータとの関数である、と、
前記ＵＥによって決定された前記ＤＲＸ構成パラメータに基づいてＤＲＸを実行することと
を備える、方法。
【請求項２】
前記狭帯域ＰＤＣＣＨ候補の前記パラメータが前記狭帯域ＰＤＣＣＨ候補の繰返しレベルを備える、
請求項１に記載の方法。
【請求項３】
前記指示は、前記ＵＥが前記狭帯域ＰＤＣＣＨ候補を監視すべきであるサブフレームの数を備える、
請求項１に記載の方法。
【請求項４】
前記指示は、前記ＵＥが前記狭帯域ＰＤＣＣＨ候補について監視すべきであるサブフレームの数を備え、前記方法が、
前記ＵＥによって監視される複数の狭帯域ＰＤＣＣＨ候補の各々について繰返しレベルを決定することと、
前記ＵＥにおいて、前記複数の狭帯域ＰＤＣＣＨ候補についての最大繰返しレベルと前記指示との関数としてＤＲＸオン持続時間を決定することと
をさらに備える、請求項１に記載の方法。
【請求項５】
ユーザ機器（ＵＥ）におけるワイヤレス通信のための装置であって、
前記ＵＥによって監視される狭帯域物理ダウンリンク制御チャネル（ＰＤＣＣＨ）候補のパラメータを決定するための手段、前記パラメータは、前記狭帯域ＰＤＣＣＨ候補の繰り返しに関する、と、
前記ＵＥの間欠受信（ＤＲＸ）構成に関連する指示を受信するための手段と、
前記ＵＥにおいて、ＤＲＸ構成パラメータを決定するための手段、前記ＤＲＸ構成パラメータが、前記指示と前記狭帯域ＰＤＣＣＨ候補の前記パラメータとの関数である、と、
前記ＵＥによって決定された前記ＤＲＸ構成パラメータに基づいてＤＲＸを実行するための手段と
を備える、装置。
【請求項６】
前記狭帯域ＰＤＣＣＨの前記パラメータが前記狭帯域ＰＤＣＣＨ候補の繰返しレベルを備える、
請求項５に記載の装置。
【請求項７】
前記指示は、前記ＵＥが前記狭帯域ＰＤＣＣＨ候補について監視すべきであるサブフレームの数を備える、請求項５に記載の装置。
【請求項８】
前記指示は、前記ＵＥが前記狭帯域ＰＤＣＣＨ候補について監視すべきであるサブフレームの数を備え、前記パラメータを前記決定するための手段が、前記ＵＥによって監視される複数の狭帯域ＰＤＣＣＨ候補の各々について繰返しレベルを決定し、前記ＤＲＸ構成パラメータを前記決定するための手段が、前記複数の狭帯域ＰＤＣＣＨ候補についての最大繰返しレベルと前記指示との関数としてＤＲＸオン持続時間を決定する、
請求項５に記載の装置。
【請求項９】
ユーザ機器（ＵＥ）におけるワイヤレス通信のための装置であって、
メモリと、
前記メモリに結合された少なくとも１つのプロセッサと
を備え、前記少なくとも１つのプロセッサは、
前記ＵＥによって監視される狭帯域物理ダウンリンク制御チャネル（ＰＤＣＣＨ）候補のパラメータを決定すること、前記パラメータは、前記狭帯域ＰＤＣＣＨ候補の繰り返しに関する、と、
前記ＵＥの間欠受信（ＤＲＸ）構成に関連する指示を受信することと、
前記ＵＥにおいて、ＤＲＸ構成パラメータを決定すること、前記ＤＲＸ構成パラメータが、前記指示と前記狭帯域ＰＤＣＣＨ候補の前記パラメータとの関数である、と、
前記ＵＥによって決定された前記ＤＲＸ構成パラメータに基づいてＤＲＸを実行することと  を行うように構成された、装置。
【請求項１０】
前記狭帯域ＰＤＣＣＨ候補の前記パラメータが前記狭帯域ＰＤＣＣＨ候補の繰返しレベルを備える、
請求項９に記載の装置。
【請求項１１】
前記指示は、前記ＵＥが前記狭帯域ＰＤＣＣＨ候補について監視すべきであるサブフレームの数を備える、
請求項９に記載の装置。
【請求項１２】
前記指示は、前記ＵＥが前記狭帯域ＰＤＣＣＨ候補について監視すべきであるサブフレームの数を備え、前記少なくとも１つのプロセッサは、前記ＵＥによって監視される複数の狭帯域ＰＤＣＣＨ候補の各々について繰返しレベルを決定することによって前記パラメータを決定し、前記少なくとも１つのプロセッサは、前記複数の狭帯域ＰＤＣＣＨ候補についての最大繰返しレベルと前記指示との関数としてＤＲＸオン持続時間を決定する、請求項９に記載の装置。
【請求項１３】
ユーザ機器（ＵＥ）におけるワイヤレス通信のためのコンピュータ実行可能コードを記憶する非一時的コンピュータ可読媒体であって、
前記ＵＥによって監視される狭帯域物理ダウンリンク制御チャネル（ＰＤＣＣＨ）候補のパラメータを決定すること、前記パラメータは、前記狭帯域ＰＤＣＣＨ候補の繰り返しに関する、と、
前記ＵＥの間欠受信（ＤＲＸ）構成に関連する指示を受信することと、
前記ＵＥにおいて、ＤＲＸ構成パラメータを決定すること、前記ＤＲＸ構成パラメータが、前記指示と前記狭帯域ＰＤＣＣＨ候補の前記パラメータとの関数である、と、
前記ＵＥによって決定された前記ＤＲＸ構成パラメータに基づいてＤＲＸを実行することと
を行うためのコードを備える、非一時的コンピュータ可読媒体。
【請求項１４】
前記狭帯域ＰＤＣＣＨ候補の前記パラメータが前記狭帯域ＰＤＣＣＨ候補の繰返しレベルを備える、
請求項１３に記載の非一時的コンピュータ可読媒体。
【請求項１５】
前記指示は、前記ＵＥが前記狭帯域ＰＤＣＣＨ候補について監視すべきであるサブフレームの数を備える、
請求項１３に記載の非一時的コンピュータ可読媒体。
【請求項１６】
前記指示は、前記ＵＥが前記狭帯域ＰＤＣＣＨ候補について監視すべきであるサブフレームの数を備え、前記ＵＥによって監視される複数の狭帯域ＰＤＣＣＨ候補の各々について繰返しレベルを決定することによって前記パラメータを決定することを行うためのコードと、前記複数の狭帯域ＰＤＣＣＨ候補についての最大繰返しレベルと前記指示との関数としてＤＲＸオン持続時間を決定することを行うためのコードとさらに備える、
請求項１３に記載の非一時的コンピュータ可読媒体。